(57)【特許請求の範囲】
【請求項１】
通信の方法であって、
近隣認識ネットワーク（ＮＡＮ）のカバレッジエリア内の電子デバイスから、第１のワイヤレスプロトコルにしたがって、発見ビーコンの送信より前に前記電子デバイスの低電力消費デバイスを使用してウェイクアップメッセージを送信することと、前記ウェイクアップメッセージは、第２のワイヤレスプロトコルに関連付けられた発見情報を示す、
前記ウェイクアップメッセージを送信した後で、前記第２のワイヤレスプロトコルにしたがって前記ＮＡＮを介して情報を通信することと、
前記電子デバイスにおいて、別の電子デバイスから、別のＮＡＮに関連付けられた第２の発見情報を示すメッセージを受信することと、前記別のＮＡＮは、前記第２のワイヤレスプロトコルにしたがって動作する、
を備える、方法。
【請求項２】
前記発見情報中の前記第２のワイヤレスプロトコルに関連付けられた発見ビーコンの送信時間を示すことをさらに備える、請求項１に記載の方法。
【請求項３】
前記ＮＡＮを介して情報を前記通信することにおいて前記発見ビーコンを送信することをさらに備える、請求項２に記載の方法。
【請求項４】
前記ウェイクアップメッセージを前記送信することは、前記発見ビーコンの送信より前に生じる、請求項２に記載の方法。
【請求項５】
前記発見情報は、前記第２のワイヤレスプロトコルに関連付けられた発見ウィンドウを示す、請求項１に記載の方法。
【請求項６】
前記発見ウィンドウは、１６ミリ秒（ｍｓ）の持続時間を有する、請求項５に記載の方法。
【請求項７】
前記ウェイクアップメッセージを前記送信することは、前記発見ウィンドウの開始より前に生じる、請求項５に記載の方法。
【請求項８】
前記ＮＡＮを介して情報を前記通信することは、前記発見ウィンドウ中の通信を含む、請求項５に記載の方法。
【請求項９】
前記ＮＡＮを介して情報を前記通信することは、同期ビーコンを送信することを含む、請求項１に記載の方法。
【請求項１０】
前記第１のワイヤレスプロトコルは、米国電気電子学会（ＩＥＥＥ）８０２．１１ａｈワイヤレスプロトコルを備える、請求項１に記載の方法。
【請求項１１】
前記第２の発見情報を示すメッセージは、前記第１のワイヤレスプロトコルにしたがって前記別の電子デバイスから受信される、請求項１に記載の方法。
【請求項１２】
前記第２の発見情報を示すメッセージは、前記別のＮＡＮの発見ウィンドウの時間インジケーションを含む、請求項１に記載の方法。
【請求項１３】
前記第１のワイヤレスプロトコルは、サブ１ギガヘルツ（ＧＨｚ）の周波数帯域に関連付けられ、前記第２のワイヤレスプロトコルは、２．４ＧＨｚの周波数帯域に関連付けられる、請求項１に記載の方法。
【請求項１４】
前記第１のワイヤレスプロトコルは、サブ１ギガヘルツ（ＧＨｚ）の周波数帯域に関連付けられ、前記第２のワイヤレスプロトコルは、５ＧＨｚの周波数帯域に関連付けられる、請求項１に記載の方法。
【請求項１５】
前記第１のワイヤレスプロトコルは、２．４ギガヘルツ（ＧＨｚ）の周波数帯域に関連付けられ、前記第２のワイヤレスプロトコルは、５ＧＨｚの周波数帯域に関連付けられる、請求項１に記載の方法。
【請求項１６】
通信のための装置であって、
プロセッサと、
前記プロセッサに、
近隣認識ネットワーク（ＮＡＮ）を介して、第１のワイヤレスプロトコルにしたがって、発見ビーコンの送信より前に前記装置の低電力消費デバイスを使用してウェイクアップメッセージの送信を開始することと、前記ウェイクアップメッセージは、前記ＮＡＮの発見情報を示し、前記ＮＡＮは、第２のワイヤレスプロトコルにしたがって動作する、
前記ウェイクアップメッセージの送信の後で、前記第２のワイヤレスプロトコルにしたがって、前記ＮＡＮを介して情報を通信することと、
別の電子デバイスから、別のＮＡＮに関連付けられた第２の発見情報を示すメッセージを受信することと、前記別のＮＡＮは、前記第２のワイヤレスプロトコルにしたがって動作する、
を行わせるように前記プロセッサによって実行可能である命令を記憶するメモリと
を備える、装置。
【請求項１７】
前記第１のワイヤレスプロトコルに関連付けられた第１のトランシーバをさらに備える、請求項１６に記載の装置。
【請求項１８】
前記第１のトランシーバは、前記ウェイクアップメッセージを送信するように構成される、請求項１７に記載の装置。
【請求項１９】
前記第２のワイヤレスプロトコルに関連付けられた第２のトランシーバをさらに備える、請求項１７に記載の装置。
【請求項２０】
前記第２のトランシーバは、前記ＮＡＮを介して前記情報を通信するように構成される、請求項１９に記載の装置。
【請求項２１】
前記第１のトランシーバは、サブ１ギガヘルツ（ＧＨｚ）の周波数帯域を使用して動作するように構成され、前記第２のトランシーバは、２．４ＧＨｚの周波数帯域を使用して動作するように構成される、請求項１９に記載の装置。
【請求項２２】
前記第１のトランシーバは、サブ１ギガヘルツ（ＧＨｚ）の周波数帯域を使用して動作するように構成され、前記第２のトランシーバは、５ＧＨｚの周波数帯域を使用して動作するように構成される、請求項１９に記載の装置。
【請求項２３】
前記第１のトランシーバは、２．４ギガヘルツ（ＧＨｚ）の周波数帯域を使用して動作するように構成され、前記第２のトランシーバは、５ＧＨｚの周波数帯域を使用して動作するように構成される、請求項１９に記載の装置。
【請求項２４】
通信のための装置であって、
近隣認識ネットワーク（ＮＡＮ）のカバレッジエリア内の電子デバイスから、第１のワイヤレスプロトコルにしたがって、発見ビーコンの送信より前に前記電子デバイスの低電力消費デバイスを使用してウェイクアップメッセージを送信するための手段と、前記ウェイクアップメッセージは、第２のワイヤレスプロトコルに関連付けられた発見情報を示す、
前記ウェイクアップメッセージの送信の後で、前記第２のワイヤレスプロトコルにしたがって前記ＮＡＮを介して情報を通信するための手段と、
別の電子デバイスから、別のＮＡＮに関連付けられた第２の発見情報を示すメッセージを受信するための手段と、前記別のＮＡＮは、前記第２のワイヤレスプロトコルにしたがって動作する、
を備える、装置。
【請求項２５】
前記送信するための手段は、前記第１のワイヤレスプロトコルに関連付けられた第１のトランシーバを含み、前記通信するための手段は、前記第２のワイヤレスプロトコルに関連付けられた第２のトランシーバを含む、請求項２４に記載の装置。
【請求項２６】
前記通信するための手段は、前記発見情報中の前記第２のワイヤレスプロトコルに関連付けられた発見ビーコンの送信時間を示すように構成される、請求項２４に記載の装置。
【請求項２７】
プロセッサによって実行されたとき、前記プロセッサに、
近隣認識ネットワーク（ＮＡＮ）内の電子デバイスから、第１のワイヤレスプロトコルにしたがって、発見ビーコンの送信より前に前記電子デバイスの低電力消費デバイスを使用してウェイクアップメッセージの送信を開始することと、前記ウェイクアップメッセージは、前記ＮＡＮの発見情報を示し、前記ＮＡＮは、第２のワイヤレスプロトコルにしたがって動作する、
前記ウェイクアップメッセージの送信の後で、前記第２のワイヤレスプロトコルにしたがって、前記ＮＡＮを介して情報を通信することと、
前記電子デバイスにおいて、別の電子デバイスから、別のＮＡＮに関連付けられた第２の発見情報を示すメッセージを受信することと、前記別のＮＡＮは、前記第２のワイヤレスプロトコルにしたがって動作する、
を行わせる命令を備える非一時的プロセッサ可読媒体。
【請求項２８】
前記命令は、前記プロセッサに、前記発見情報中の前記第２のワイヤレスプロトコルに関連付けられた発見ビーコンの送信時間を示させるように前記プロセッサによってさらに実行可能である、請求項２７に記載の非一時的プロセッサ可読媒体。
【請求項２９】
前記命令は、前記プロセッサに、前記発見情報中の前記第２のワイヤレスプロトコルに関連付けられた発見ウィンドウを示させるように前記プロセッサによってさらに実行可能である、請求項２７に記載の非一時的プロセッサ可読媒体。
【発明の詳細な説明】
【優先権の主張】
【０００１】
[0001] 本願は、共通して所有される２０１４年２月３日に出願された米国仮特許出願第６１／９３５，１８９号、および２０１５年２月２日に出願された米国非仮特許出願第１４／６１１，９３２号の優先権を主張し、それらの内容は、全体が参照によって本願明細書に明確に組み込まれる。
【技術分野】
【０００２】
[0002] 本開示は概して、近隣認識ネットワーク（ＮＡＮ：neighbor awareness network）の発見に関する。
【背景技術】
【０００３】
[0003] 技術における進歩は、より小型で、より強力な計算デバイスをもたらした。例えば、小型で軽量、かつユーザによって容易に持ち運ばれるポータブルワイヤレス電話、携帯情報端末（ＰＤＡ）、およびページングデバイスのような、ワイヤレス計算デバイスを含む、様々なポータブルパーソナル計算デバイスが現在において存在する。より具体的には、セルラ電話およびインターネットプロトコル（ＩＰ）電話のようなポータブルワイヤレス電話は、ワイヤレスネットワーク上で音声およびデータパケットを通信することができる。さらに、多くのそのようなワイヤレス電話は、その中に組み込まれる他のタイプのデバイスを含む。例えば、ワイヤレス電話はまた、デジタルスチルカメラ（a digital still camera）、デジタルビデオカメラ、デジタルレコーダ、およびオーディオファイルプレーヤを含むことができる。また、そのようなワイヤレス電話は、インターネットにアクセスするために使用されることができる、ウェブブラウザアプリケーションのようなソフトウェアアプリケーションを含む、実行可能命令を処理することができる。そのため、これらのワイヤレス電話は、重要な計算能力を含むことができる。
【０００４】
[0004] ワイヤレス電話のような電子デバイスは、データを送信および受信するためにネットワークにアクセスするようワイヤレス接続を使用しうる。電子デバイスはまた、互いに直接、情報を交換するためにワイヤレス接続を使用しうる。例えば、各々に対して近接近しているモバイル電子デバイスは、互いにデータ（例えば、画像、データファイル、ビデオ、および他の情報）を交換しうる。モバイル電子デバイス間でのこのデータ交換は、そのデバイスのワイヤレスサービスプロバイダ（例えば、セルラネットワークサービスを提供する特定のエンティティ）、Ｗｉ−Ｆｉアクセスポイント、およびインターネットを伴う通信パスを介してデータを転送することを含みうる。モバイル電子デバイス間でそのようなデータ接続を確立することは、時間を消費し、モバイル電子デバイスによる電力消費をもたらしかねない。
【発明の概要】
【０００５】
[0005] 近隣認識ネットワーク（ＮＡＮ）の使用は、近接近するモバイル電子デバイスが、（例えば、本質的にワイヤレスキャリア、Ｗｉ−Ｆｉアクセスポイント、またはインターネットを伴うことなしに）ＮＡＮを介してデータ交換を遂行することを可能にしうる。ＮＡＮ中のモバイル電子デバイス間での情報の交換は、米国電気電子学会（ＩＥＥＥ）８０２．１１プロトコルを用いるワイヤレスネットワークの使用を通じて生じることができる。例えば、ある特定のＩＥＥＥ８０２．１１プロトコル（例えば、８０２．１１ａ、８０２．１１ｂ、８０２．１１ｇ、８０２．１１ｎ、８０２．１１ａｃ、８０２．１１ａｄ、等）を利用するＮＡＮは、２．４ギガヘルツ（ＧＨｚ）または５ＧＨｚの周波数帯域を介したデータ転送をサポートしうる。モバイルデバイスがＮＡＮのカバレッジエリアに入るとき、モバイルデバイスは、ＮＡＮが利用可能かどうかを決定するために２．４／５ＧＨｚの受信機（またはトランシーバ）をアクティブ化しうる。ＮＡＮプロトコルは、次のＮＡＮ「発見ウィンドウ（discovery window）」（代替的に検出ウィンドウと呼ばれる）がいつ生じるかを新たに到着するモバイルデバイスに通知する「発見ビーコン」の周期的ブロードキャストを提供しうる。発見ウィンドウ中に、デバイスは、ＮＡＮ中の他のデバイスを識別しうるか、ＮＡＮ中のデバイスによって提供されるサービスを識別しうるか、ＮＡＮ中の他のデバイスにデータを転送しうるか、または将来のデータ転送（例えば、発見ウィンドウの完結の後でのデータ転送）をスケジュールしうる。発見ビーコンは、およそ１００ミリ秒（ｍｓ）から２００ｍｓの間隔で送信されうる。このように、モバイルデバイスは、発見ビーコンをリッスン（listen for）し、ＮＡＮが利用可能かどうかを識別するために、少なくとも２００ｍｓの間、２．４ＧＨｚまたは５ＧＨｚの受信機（あるいはトランシーバ）をアクティブ化しうる。しかしながら、２．４ＧＨｚまたは５ＧＨｚの受信機（またはトランシーバ）は、動作中の間に著しい量の電力を消費するコンポーネントを有しうる。そのため、長い時間期間の間、２．４ＧＨｚまたは５ＧＨｚの受信機（またはトランシーバ）を動作させることは、受け入れ難いほど大量の電力の消費、およびモバイルデバイスでのバッテリ寿命の著しい低減をもたらしうる。
【０００６】
[0006] デバイスの電力消費を低減しながら、デバイスがＮＡＮを発見しアクセスすることを可能にする方法および装置が開示される。ワイヤレスデバイスは、次のＮＡＮ発見ウィンドウがいつ生じるのかを決定することに関連付けられた電力消費を低減するために本明細書で説明される例に基づいて動作しうる。例えば、モバイルデバイスは、（５ＧＨｚの受信機またはトランシーバのような）高電力消費デバイス（a high power consuming device）および（サブ１ＧＨｚ（sub-1 GHz）の受信機またはトランシーバのような）低電力消費デバイス（a low power consuming device）を含みうる。モバイルデバイスは、そのモバイルデバイスがウェイクアップメッセージ（a wake up message）を受信するまで低電力消費デバイスを使用して動作しうる。ウェイクアップメッセージは、ＮＡＮに関連する発見情報を示すことなどによって、ＮＡＮを使用して通信するために高電力消費デバイスをアクティブ化するようモバイルデバイスに促しうる。
【０００７】
[0007] 例えば、ウェイクアップメッセージは、（電子デバイスによって、またはＮＡＮに関連付けられた別のデバイスによって）発見ビーコンがブロードキャストされることになるより短時間前に、ＮＡＮに関連付けられた電子デバイスから送信されうる。電子デバイスは、発見ビーコンをブロードキャストするための時間からの特定の時間オフセットでウェイクアップメッセージを送信しうる（The electronic device may transmit the wake up message at a particular time offset from the time to broadcast the discovery beacon）。モバイルデバイスは、発見ビーコンを受信するために発見ビーコンのブロードキャストより短時間前に、より高い電力消費デバイスをアクティブ化しうる。
【０００８】
[0008] 別の例として、ウェイクアップメッセージは、ＮＡＮに関連付けられた発見ウィンドウより短時間前に、ＮＡＮに関連付けられた電子デバイスから送信されうる。この例において、モバイルデバイスは、発見ウィンドウのすぐ前に高電力消費デバイスをアクティブ化しうる。例示的な例として、発見ウィンドウ中に、モバイルデバイスは、ＮＡＮ中の他のデバイスを識別するために、ＮＡＮ中のデバイスによって提供される１つまたは複数のサービスを識別するために、ＮＡＮ中の他のデバイスにデータを転送するために、または将来のデータ転送（例えば、発見ウィンドウの完結の後でのデータ転送）をスケジュールするために、高電力消費デバイスを使用しうる。いくつかのネットワークにおいて、発見ビーコンは、ＮＡＮに関連付けられたデバイスによって複数の発見ウィンドウの間に時折ブロードキャストされうる。他のネットワークにおいて、ＮＡＮに関連付けられたデバイスは、（例えば、ＮＡＮのデバイスによる電力消費を低減するために）発見ビーコンをブロードキャストすることを避けうる。
【０００９】
[0009] 発見ビーコンがブロードキャストされることになるより、または発見ウィンドウより、短時間の持続時間前にウェイクアップメッセージを受信することによって、モバイルデバイスの電力消費は低減されうる。例えば、ウェイクアップメッセージを受信するために低電力消費デバイスを使用することによって、モバイルデバイスは、高電力消費デバイスがアクティブである時間の量を低減しうる。低電力消費デバイスの動作は、高電力消費デバイスの使用と比較するとモバイルデバイスにおいてより少ない電力消費をもたらし、それは、モバイルデバイスのバッテリ寿命を著しく増加させうる。
【００１０】
[0010] 別の例において、モバイルデバイスは、ＮＡＮを検出するためにアクティブ走査技法（active scanning technique）を利用しうる。例示するために、（例えば、パッシブ走査技法（passive scanning technique）を使用して）ウェイクアップメッセージを待つ代わりに、モバイルデバイスは、低電力消費デバイスを使用してプローブ要求を送信しうる。プローブ要求は、ＮＡＮに関連付けられた１つまたは複数のデバイスによって受信されうる。プローブ要求は、次の発見ウィンドウがいつ生じるのかのインジケーションを要求しうる。ＮＡＮに関連付けられた電子デバイスは、次の発見ウィンドウがいつ生じるのかを示すプローブ応答を送信することによって応答しうる。モバイルデバイスは、低電力消費デバイスを使用してプローブ応答を受信し、発見ウィンドウ中に通信するために高電力消費デバイスをアクティブ化しうるものであり、高電力消費デバイスを使用する走査と比較するとモバイルデバイスにおいてより低い電力消費をもたらす。
【００１１】
[0011] 特定の例において、通信の方法は、第１のワイヤレスプロトコルを介して近隣認識ネットワーク（ＮＡＮ）中の電子デバイスから、第２のワイヤレスプロトコルに関連付けられた発見情報を示すウェイクアップメッセージを送信することを含む。例示的な例として、発見情報は、第２のワイヤレスプロトコルの発見ビーコンの送信時間、第２のワイヤレスプロトコルに関連付けられた発見ウィンドウ、または第２のワイヤレスプロトコルの発見ウィンドウの時間インジケーションを示しうる。本方法はさらに、ウェイクアップメッセージを送信した後で、第２のワイヤレスプロトコルを使用して、ＮＡＮを介して情報を通信することを含む。
【００１２】
[0012] 別の例において、通信のための装置は、プロセッサと、命令を記憶するメモリとを含む。命令は、プロセッサに、近隣認識ネットワーク（ＮＡＮ）を介しておよび第１のワイヤレスプロトコルを使用して、ＮＡＮの発見情報を示すウェイクアップメッセージの送信を開始させるようにプロセッサによって実行可能である。ＮＡＮは、第２のワイヤレスプロトコルにしたがって動作する。命令は、さらにプロセッサに、ウェイクアップメッセージの送信の後で、第２のワイヤレスプロトコルを使用して、ＮＡＮを介して情報を通信させるようにプロセッサによって実行可能である。
【００１３】
[0013] 別の例において、非一時的プロセッサ可読媒体は、命令を含む。命令は、プロセッサに、第１のワイヤレスプロトコルを介して近隣認識ネットワーク（ＮＡＮ）中の電子デバイスから、ＮＡＮの発見情報を示すウェイクアップメッセージの送信を開始させるようにプロセッサによって実行可能である。ＮＡＮは、第２のワイヤレスプロトコルにしたがって動作する。命令は、さらにプロセッサに、ウェイクアップメッセージの送信の後で、第２のワイヤレスプロトコルを使用して、ＮＡＮを介して情報を通信させるようにプロセッサによって実行可能である。
【００１４】
[0014] 別の例において、通信のための装置は、第１のワイヤレスプロトコルを介して近隣認識ネットワーク（ＮＡＮ）中の電子デバイスから、第２のワイヤレスプロトコルに関連付けられた発見情報を示すウェイクアップメッセージを送信するための手段を含む。装置はさらに、ウェイクアップメッセージの送信の後で、第２のワイヤレスプロトコルを使用して、ＮＡＮを介して情報を通信するための手段を含む。
【００１５】
[0015] 開示される実施形態のうちの少なくとも１つによって提供される１つの特定の利点は、モバイルデバイスによる低下した電力消費である。例えば、本明細書で説明される１つまたは複数の技法および例に基づいてＮＡＮを検出しアクセスするように試みるモバイルデバイスは、ＮＡＮを検出することに関連付けられたより少ない電力を消費しうる。加えて、モバイルデバイスが既にＮＡＮに関連付けられている（すなわち、モバイルデバイスがＮＡＮに加わった）とき、本明細書で説明される技法および例のうちの１つまたは複数に基づくモバイルデバイスの動作は、モバイルデバイスが（例えば、ＮＡＮを別のＮＡＮとマージするために）他のＮＡＮを探索するときに消費される電力をさらに低減することをモバイルデバイスに可能にしうる。
【００１６】
[0016] 本開示の他の態様、利点、および特徴は、次のセクションである、図面の簡単な説明、詳細な説明、および特許請求の範囲を含む、本願全体のレビュー後に明らかとなるであろう。
【図面の簡単な説明】
【００１７】
【図１】近隣認識ネットワーク（ＮＡＮ）を使用して動作し、低電力ＮＡＮ発見処理をサポートするシステムの特定の実施形態の図である。
【図２】図１のシステムにおける動作の第１の実施形態を例示するための図である。
【図３】図１のシステムにおける動作の第２の実施形態を例示するための図である。
【図４】図１のシステムにおける動作の第３の実施形態を例示するための図である。
【図５】ＮＡＮを含み、低電力ＮＡＮ発見処理をサポートするシステムの別の特定の実施形態の図である。
【図６】ＮＡＮのデバイスの動作の方法の第１の実施形態を例示するためのフローチャートである。
【図７】ＮＡＮに入るデバイスの動作の方法の第１の実施形態を例示するためのフローチャートである。
【図８】ＮＡＮのデバイスの動作の方法の第２の実施形態を例示するためのフローチャートである。
【図９】ＮＡＮに入るデバイスの動作の方法の第２の実施形態を例示するためのフローチャートである。
【図１０】ＮＡＮのデバイスの動作の方法の第３の実施形態を例示するためのフローチャートである。
【図１１】ＮＡＮに入るデバイスの動作の方法の第３の実施形態を例示するためのフローチャートである。
【図１２】ＮＡＮのデバイスの動作の方法の第４の実施形態を例示するためのフローチャートである。
【図１３】ＮＡＮに入るデバイスの動作の方法の第４の実施形態を例示するためのフローチャートである。
【図１４】ＮＡＮのデバイスの動作の方法の第５の実施形態を例示するためのフローチャートである。
【図１５】本明細書で開示される１つまたは複数の方法、システム、装置、またはコンピュータ可読媒体の様々な実施形態をサポートするように動作可能であるワイヤレスデバイスの図である。
【詳細な説明】
【００１８】
[0032] 図１を参照すると、近隣認識ネットワーク（ＮＡＮ）１１０を使用して動作し、低電力ＮＡＮ発見処理をサポートするシステム１００の特定の実施形態が示されている。１つまたは複数のデバイスがＮＡＮ１１０に関連付けられうる。図１において、ＮＡＮ１１０は、（以下において「ＮＡＮデバイス１２０」と記載される）ＮＡＮデバイス１２０−１、１２０−２、１２０−３、および１２０−ｎ（ここで「ｎ」は正整数である）のような電子デバイスを含む。ＮＡＮ１１０中のＮＡＮデバイス１２０は、ＮＡＮ１１０を介してデータ、サービス、またはその両方を交換しうる。ＮＡＮデバイス１２０は、アクセスポイント、モバイル電話、ラップトップコンピュータ、タブレットコンピュータ、マルチメディアデバイス、周辺デバイス、データ記憶デバイス、等、を含むが、それらに限定されるわけではない、「固定式」またはモバイル電子デバイスでありうる。
【００１９】
[0033] ＮＡＮデバイス１２０のうちの１つまたは複数は、多数の無線デバイス（例えば、送信機、受信機、および／またはトランシーバ）を含みうる。例示するために、図１は、ＮＡＮデバイス１２０−３が第１のトランシーバ１２２および第２のトランシーバ１２４を含みうることを図示している。例示的な例において、第１のトランシーバ１２２は、第１のワイヤレスプロトコルにしたがって動作するように構成され、第２のトランシーバ１２４は、第２のワイヤレスプロトコルにしたがって動作するように構成される。第１のワイヤレスプロトコルに基づく第１のトランシーバ１２２の動作は、第２のワイヤレスプロトコルに基づく第２のトランシーバ１２４の動作と比較するとＮＡＮデバイス１２０−３のより低い電力消費をもたらしうる。例示するために、いくつかのケースにおいて、より高いキャリア周波数（または帯域幅）に関連付けられたワイヤレスプロトコルを使用する無線デバイスの動作は、より低いキャリア周波数（または帯域幅）に関連付けられたワイヤレスプロトコルを使用する無線デバイスの動作と比較すると無線デバイスのより高い電力消費をもたらしうる。この例において、第１のワイヤレスプロトコルは、第２のワイヤレスプロトコルに関連付けられた第２の周波数（または周波数帯域）未満の第１の周波数（または周波数帯域）に関連付けられうる。
【００２０】
[0034] さらに例示するために、第１のワイヤレスプロトコルは、サブ１ギガヘルツ（ＧＨｚ）の周波数帯域に関連付けられ、第２のワイヤレスプロトコルは、１ＧＨｚまたは、２．４ＧＨｚの周波数帯域または５ＧＨｚの周波数帯域のような、それよりも大きな周波数帯域に関連付けられうる。例えば、例示的な例として、第１のワイヤレスプロトコルは、米国電気電子学会（ＩＥＥＥ）８０２．１１ａｈワイヤレスプロトコルであり、第２のワイヤレスプロトコルは、ＩＥＥＥ８０２．１１ａワイヤレスプロトコル、ＩＥＥＥ８０２．１１ｂワイヤレスプロトコル、ＩＥＥＥ８０２．１１ｇワイヤレスプロトコル、ＩＥＥＥ８０２．１１ｎワイヤレスプロトコル、８０２．１１ａｃワイヤレスプロトコル、またはＩＥＥＥ８０２．１１ａｄワイヤレスプロトコルでありうる。
【００２１】
[0035] 別の例において、第１のワイヤレスプロトコルおよび第２のワイヤレスプロトコルの両方は、１ＧＨｚまたはそれよりも大きな周波数帯域に関連付けられる。例えば、第１のワイヤレスプロトコルは、２．４ＧＨｚの周波数帯域に関連付けられ、第２のワイヤレスプロトコルは、５ＧＨｚの周波数帯域に関連付けられうる。ある特定のインプリメンテーションにおいて、第１のワイヤレスプロトコルは、ＩＥＥＥ８０２．１１ａワイヤレスプロトコル、ＩＥＥＥ８０２．１１ｂワイヤレスプロトコル、ＩＥＥＥ８０２．１１ｇワイヤレスプロトコル、ＩＥＥＥ８０２．１１ｎワイヤレスプロトコル、８０２．１１ａｃワイヤレスプロトコル、およびＩＥＥＥ８０２．１１ａｄワイヤレスプロトコルのうちの１つであり、第２のワイヤレスプロトコルは、ＩＥＥＥ８０２．１１ａワイヤレスプロトコル、ＩＥＥＥ８０２．１１ｂワイヤレスプロトコル、ＩＥＥＥ８０２．１１ｇワイヤレスプロトコル、ＩＥＥＥ８０２．１１ｎワイヤレスプロトコル、８０２．１１ａｃワイヤレスプロトコル、およびＩＥＥＥ８０２．１１ａｄワイヤレスプロトコルのうちの別のものでありうる。他のインプリメンテーションにおいて、第１のワイヤレスプロトコルおよび第２のワイヤレスプロトコルのうちの１つまたは両方は、他のワイヤレスプロトコルに対応しうる。
【００２２】
[0036] さらに、本明細書で説明されるある特定の動作は「トランシーバ」に関連して説明されるが、いくつかのケースにおいて、データ受信動作は、データ送信動作を遂行するために使用される送信機とは別個である受信機を使用してインプリメントされうることが認識されるべきである。加えて、ある特定の動作は「受信機」または「送信機」に関連して本明細書で説明されるが、いくつかの実施形態において、トランシーバは、データ受信およびデータ送信動作の両方を遂行しうる。
【００２３】
[0037] 図１はまた、ＮＡＮ１１０のカバレッジエリア（例えば、「範囲（range）」）に入った、または入っているモバイルデバイス１３０を例示する。図１はまた、ＮＡＮ１１０のカバレッジエリアの外部にいるモバイルデバイス１５０を図示する。１つまたは複数のモバイル（例えば、非固定式）デバイスは、動作中に様々な時間においてＮＡＮ１１０に入ったり出たりしうる。説明される技法にしたがって、モバイルデバイス１３０は、第１のトランシーバ１３２および第２のトランシーバ１３４のような多数の無線デバイスを含みうる。第１のトランシーバ１３２は、（例えば、第１のワイヤレスプロトコルにしたがって第１のトランシーバ１２２から１つまたは複数の通信を受信するために）ＮＡＮデバイス１２０−３の第１のトランシーバ１２２に関連して説明された第１のワイヤレスプロトコルを使用して動作するように構成されうる。第２のトランシーバ１３４は、（例えば、第２のワイヤレスプロトコルにしたがって第２のトランシーバ１２４から１つまたは複数の通信を受信するために）ＮＡＮデバイス１２０−３の第２のトランシーバ１２４に関連して説明された第２のプロトコルを使用して動作するように構成されうる。特定の実施形態において、第１のトランシーバ１３２は、モバイルデバイス１３０の常時オン（always-on）の受信機またはウェイクアップ受信機（a wake up receiver）であり、第２のトランシーバ１３４は、電力を節約するために（例えば、「必要に応じて」）選択的にアクティブ化および非アクティブ化されうる。
【００２４】
[0038] 第１のトランシーバ１２２を使用する動作は、第２のトランシーバ１２４を使用する動作と比較するとＮＡＮデバイス１２０−３のより低い電力消費をもたらしうる。第１のトランシーバ１２２は、「低電力消費デバイス」と呼ばれ、第２のトランシーバ１２４は、「高電力消費デバイス」と呼ばれうる。さらに、第２のトランシーバ１３４を使用する動作は、第１のトランシーバ１３２を使用する動作と比較するとモバイルデバイス１３０のより高い電力消費をもたらしうる。第１のトランシーバ１３２は、「低電力消費デバイス」と呼ばれ、第２のトランシーバ１３４は、「高電力消費デバイス」と呼ばれうる。
【００２５】
[0039] 動作中、１つまたは複数のモバイルデバイスは、ＮＡＮ１１０のカバレッジエリア（または範囲）に入り得、または出り得る。例示するために、図１の例は、モバイルデバイス１３０がＮＡＮ１１０に入った（または入っている）こと、およびモバイルデバイス１５０がＮＡＮ１１０のカバレッジエリアの外部にいることを図示する。
【００２６】
[0040] ＮＡＮ１１０のカバレッジエリアに入ると、モバイルデバイス１３０は、（例えば、モバイルデバイス１３０がＮＡＮの範囲内にいるかどうかを決定するために）ＮＡＮ（例えば、ＮＡＮ１１０）が利用可能かどうかを決定するようＮＡＮ発見動作を遂行しうる。ＮＡＮ１１０のＮＡＮプロトコル（例えば、第２のワイヤレスプロトコル）は、次のＮＡＮ発見ウィンドウがいつ生じるのかを新たに到着するモバイルデバイス（例えば、モバイルデバイス１３０）に通知する発見ビーコンの周期的ブロードキャストを特定しうる。ＮＡＮ発見ウィンドウ中に、デバイス（例えば、ＮＡＮデバイス１２０およびモバイルデバイス１３０）は、ＮＡＮ中の他のデバイスを識別すること、ＮＡＮ中のデバイスによって提供されるサービスを識別すること、ＮＡＮ中の他のデバイスにデータを転送すること、ＮＡＮに「加わる」（または関連付ける）こと、あるいは将来のデータ転送（例えば、発見ウィンドウの完結の後でのデータ転送）をスケジュールすることを含むが、それらに限定されるわけではない、発見動作を遂行しうる。
【００２７】
[0041] 発見ビーコンは、ＮＡＮ１１０の「アンカーマスター（anchor master）」デバイスまたはＮＡＮ１１０の他の「マスター」デバイスによって送信されうる。ＮＡＮにおいて、マスターデバイスは、各ＮＡＮ発見ウィンドウの開始時に同期ビーコンを送信することを担いうる。いくつかの実施形態において、同期ビーコンは、第２のプロトコルに基づいて動作するデバイスを介して（例えば、第２のトランシーバ１２４によって）送信される。同期ビーコンは、デバイスのクロック信号をアンカーマスターデバイスのクロック信号に同期させるためにＮＡＮ中の他の（例えば、非マスター）デバイスによって受信および使用されうる。いくつかの実施形態において、アンカーマスターデバイスはまた、発見ウィンドウをスケジューリングすることを担いうる。例えば、発見ウィンドウは、持続時間が１６ミリ秒（ｍｓ）であり、５１２ｍｓごとに生じうる。代替の実施形態において、発見ウィンドウは、異なる持続時間を有し得、異なる周期性にしたがって生じうる。ＮＡＮのアンカーマスターデバイスがＮＡＮを去る場合、別のデバイスがアンカーマスターデバイスになりうる。特定の実施形態において、電力消費のバランスを取るために、マスターデバイスの役割は周期的に、異なるＮＡＮデバイスに転送されうる。
【００２８】
[0042] 同期ビーコン、発見ビーコン、および／または他のＮＡＮ通信を「探索する」ことによって引き起こされうるモバイルデバイス１３０の電力消費を低減するために、モバイルデバイス１３０は、ＮＡＮ１１０の電子デバイスから（例えば、ＮＡＮデバイス１２０−３から）メッセージ１４０を受信しうる。例えば、ＮＡＮデバイス１２０−３は、第１のトランシーバ１２２を使用して第１のワイヤレスプロトコルにしたがってメッセージ１４０を送信し、それは、（例えば、第２のトランシーバ１２４および第２のトランシーバ１３４のうちの１つまたは両方が高電力消費状態にしたがって動作する間に）モバイルデバイス１３０が、第１のトランシーバ１３２を使用して第１のワイヤレスプロトコルにしたがってメッセージ１４０を受信することを可能にしうる。メッセージ１４０は、第２のワイヤレスプロトコルを使用して送信された（例えば、ＮＡＮデバイス１２０−３の第２のトランシーバ１３４からの）１つまたは複数のＮＡＮ通信を受信するためにモバイルデバイス１３０は第２のトランシーバ１３４をアクティブ化（または「ウェイクアップ」）すべきであるということを示す「ウェイクアップ」メッセージでありうる。この例において、モバイルデバイス１３０は、モバイルデバイス１３０が第２のトランシーバ１３４を使用していない（または使用するようにスケジュールされていない）間に第２のトランシーバ１３４を非アクティブ化する（または第２のトランシーバ１３４をスリープさせる）ように構成されうる。
【００２９】
[0043] メッセージ１４０は、ＮＡＮ１１０に関連付けられた発見情報１４２を示しうる。例えば、発見情報１４２は、第２のトランシーバ１２４を使用して２．４ＧＨｚの周波数帯域または５ＧＨｚの周波数帯域を介してＮＡＮデバイス１２０−３によって送信されるべき発見ビーコンのような、ＮＡＮ１１０に関連付けられた発見ビーコンの送信時間を示しうる。この例において、発見情報１４２は、発見ビーコンを検出および受信するためにモバイルデバイス１３０が第２のトランシーバ１３４をいつ「ウェイクアップ」すべきかを示しうる。特定の実施形態において、メッセージ１４０は、ビーコン、物理レイヤ（ＰＨＹ）メッセージ、管理メッセージ、または別のタイプのメッセージでありうる。特定の実施形態において、メッセージ１４０は、（例示的な例として、ＮＡＮデバイス１２０−３に対応しうる）ＮＡＮ１１０のマスターデバイスによって送信される。
【００３０】
[0044] メッセージ１４０は、１つまたは複数の技法を使用する発見ビーコンの送信時間を示しうる。例えば、メッセージ１４０は、発見ビーコンより前の「知られている（known）」（例えば、所定の、事前ネゴシエートされた（pre-negotiated）、または標準化された）時間オフセットで送信され、モバイルデバイス１３０は、知られた時間オフセットに基づいて発見ビーコンの送信時間を決定しうる。別の例として、メッセージ１４０は、発見ビーコンの送信時間を識別するデータ（例えば、ペイロードデータ）を含みうる。モバイルデバイス１３０は、発見ビーコンを検出するために第２の送信機１３４をアクティブ化しうるものであり、それは、次のＮＡＮ発見ウィンドウ（例えば、次のＮＡＮ発見ウィンドウがいつ生じるのか）を識別する。モバイルデバイス１３０は、発見ビーコンに基づいてＮＡＮ発見ウィンドウの開始時間を決定しうる。
【００３１】
[0045] いくつかのケースにおいて、モバイルデバイス１３０は、発見ビーコンを受信した後で（電力を節約するために）第２のトランシーバ１３４を非アクティブ化し、モバイルデバイス１３０は、（例えば、ＮＡＮ１１０に「加わる」といったような、１つまたは複数の発見動作を発見ウィンドウ中に遂行するために）発見ウィンドウの開始時間に基づいて第２のトランシーバ１３４を再アクティブ化しうる。
【００３２】
[0046] デバイス（例えば、ＮＡＮデバイスまたはモバイルデバイス）は、情報１９０のような情報をＮＡＮ１１０を介して通信するために第２のワイヤレスプロトコルを使用しうる。例えば、図１は、ＮＡＮデバイス１２０−３がモバイルデバイス１３０に情報１９０を送信しうることを示す。例示的な例として、情報１９０は、発見ビーコン、同期ビーコン、データ、ＮＡＮ１１０に関連付けられた１つまたは複数のＮＡＮサービスのインジケーション、ＮＡＮ１１０に関連付けられたＮＡＮスケジュール情報、１つまたは複数のメッセージ（例えば、異なる時間において送信された１つまたは複数のメッセージ）、あるいはそれらの組み合わせを、例示的な例として、含みうる。
【００３３】
[0047] モバイルデバイス１３０は、ＮＡＮデバイス１２０のうちのいずれかと（例えば、発見ウィンドウ中にまたはその後で）ＮＡＮ１１０を介して情報を通信するために第２のワイヤレスプロトコルを使用しうる。例えば、図１は情報１９０を送信しているＮＡＮデバイス１２０−３を図示しているが、別の例において、モバイルデバイス１３０は、第２のワイヤレスプロトコルを使用してＮＡＮデバイス１２０のいずれかに情報（例えば、情報１９０）を送信しうる。例示するために、モバイルデバイス１３０は、第２のトランシーバ１３４を使用してＮＡＮデバイス１２０−３に情報１９０を送信しうる。例示的な例として、情報１９０は、（例えば、モバイルデバイスデバイス１３０がＮＡＮ１１０に加わった後で）発見ビーコン、（例えば、モバイルデバイス１３０がＮＡＮ１１０に加わり、ＮＡＮ１１０のマスターデバイスになった場合に）同期ビーコン、データ、ＮＡＮ１１０に関連付けられた１つまたは複数のＮＡＮサービスのインジケーション、ＮＡＮ１１０に関連付けられたＮＡＮスケジュール情報、１つまたは複数のメッセージ（例えば、異なる時間において送信された１つまたは複数のメッセージ）、あるいはそれらの組み合わせを、例示的な例として、含みうる。別の例として、モバイルデバイス１３０は、第２のトランシーバ１３４を使用して１つまたは複数のメッセージを受信すること、第２のワイヤレスプロトコルに基づいて動作する送信機を使用して１つまたは複数のメッセージを送信すること、またはそれらの組み合わせなどによって、ＮＡＮデバイス１２０のうちのいずれかとＮＡＮ１１０を介して情報を通信しうる。
【００３４】
[0048] いくつかのケースにおいて、モバイルデバイス１３０は、発見ウィンドウの後で（例えば、ＮＡＮ１１０に関連付けられた次の発見ウィンドウまで、または別のＮＡＮに関連付けられた発見情報を示す別のメッセージを受信するまで）第２のトランシーバ１３４を非アクティブ化しうる。モバイルデバイス１３０が発見ビーコンの送信時間を示すウェイクアップメッセージを受信する動作の例はさらに、図２に関連して説明される。
【００３５】
[0049] 発見ビーコンの送信時間を示すことの代替として、またはそれに加えて、メッセージ１４０は、今後の（upcoming）発見ウィンドウ（例えば、発見ウィンドウの開始時間）を示しうる。例えば、メッセージ１４０は、次の発見ウィンドウの開始からの「知られている」オフセットで送信されうる。モバイルデバイス１３０は、第１のトランシーバ１３２を使用して第１のワイヤレスプロトコルに基づいてメッセージ１４０を受信し、メッセージ１４０に基づいて発見ウィンドウの開始時間を決定しうる。モバイルデバイス１３０は、（例えば、ＮＡＮ１１０に「加わる」といったような、１つまたは複数の発見動作を発見ウィンドウ中に遂行するために）発見ウィンドウの開始時間に基づいて第２のトランシーバ１３４をアクティブ化しうる。モバイルデバイス１３０は、第２のトランシーバ１３４を使用して１つまたは複数のメッセージを受信すること、第２のワイヤレスプロトコルに基づいて動作する送信機を使用して１つまたは複数のメッセージを送信すること、またはそれらの組み合わせなどによって、ＮＡＮデバイス１２０のうちのいずれかと（例えば、発見ウィンドウ中にまたはその後で）ＮＡＮ１１０を介して情報（例えば、情報１９０）を通信するために第２のワイヤレスプロトコルを使用しうる。いくつかのケースにおいて、モバイルデバイス１３０は、発見ウィンドウの後で（例えば、ＮＡＮ１１０に関連付けられた次の発見ウィンドウまで、または別のＮＡＮに関連付けられた発見情報を示す別のメッセージを受信するまで）第２のトランシーバ１３４を非アクティブ化しうる。モバイルデバイス１３０が発見ウィンドウを示すウェイクアップメッセージを受信する動作の例はさらに、図３に関連して説明される。
【００３６】
[0050] 特定の実施形態において、次のＮＡＮ発見ウィンドウがいつ生じるのかを決定するために、発見ビーコンではなく、ウェイクアップメッセージが使用されるとき、ＮＡＮデバイスは、発見ビーコンを送信することを避けうる（または、発見ウィンドウが送信される頻度を低減しうる）。発見ビーコンを低減または除去することは、ＮＡＮ１１０を使用して送信される通信の数を低減しうる。ＮＡＮデバイスが発見ビーコンを送信することを避ける動作の例はさらに、図４に関連して説明される。
【００３７】
[0051] 特定の実施形態において、メッセージ１４０の送信は、探索デバイス（例えば、モバイルデバイス１３０）からの先行する送信によってトリガされうる。例示するために、ＮＡＮデバイス１２０−３は、（例えば、低電力消費受信機またはトランシーバを動作させることによって）低電力受信モードを使用して動作し、モバイルデバイス１３０によって送信されたトリガメッセージ（例えば、プローブ要求）を検出しうる。検出されたトリガメッセージに基づいて、ＮＡＮデバイス１２０−３は、未だにＮＡＮ１１０の一部でないデバイス（例えば、「候補」デバイス）がＮＡＮ１１０の範囲内にいることを決定しうる。ＮＡＮデバイス１２０−３は、低電力受信モードのままであり、応答（例えば、プローブ応答）を送信しうるもので、それは、メッセージ１４０に対応しうる。プローブメッセージの使用はさらに、図５に関連して説明される。
【００３８】
[0052] いくつかのケースにおいて、図１中に例示される１つまたは複数のデバイスは、（例えば、同時にまたは順次に）多数のＮＡＮに関連付けられうる。例示するために、図１は、ＮＡＮ１６０を図示する。ＮＡＮ１６０は、第２のワイヤレスプロトコルにしたがって動作しうる。ＮＡＮ１６０は、ＮＡＮデバイス１７０のような１つまたは複数のＮＡデバイスを含みうる。
【００３９】
[0053] ＮＡＮデバイス１７０は、メッセージ１８０（例えば、ウェイクアップメッセージ）を送信しうるものであり、それは、メッセージ１４０に対応しうる。メッセージ１８０は、ＮＡＮデバイス１２０−３のような別のデバイスによって受信されうる。メッセージ１８０は、ＮＡＮ１６０に関連付けられた発見情報１８２を示しうる。例えば、発見情報１８２は、ＮＡＮ１６０に関連付けられた発見ビーコンの送信時間、ＮＡＮ１６０の発見ウィンドウの時間インジケーション、またはそれらの組み合わせを示しうる。いくつかのケースにおいて、メッセージ１８０は、ＮＡＮデバイス１２０−３によるプローブ要求に応答して送信されるプローブ応答でありうる。動作中、ＮＡＮ１１０のデバイス（例えば、ＮＡＮデバイス１２０−３）は、ＮＡＮ１１０の代替として、またはそれに加えて、ＮＡＮ１６０に「加わる」ことを選びうる。ＮＡＮ１１０のデバイスは、ＮＡＮ１６０に加わり、（例えば、ＮＡＮ１６０に加わるために、および／または、ＮＡＮ１１０とＮＡＮ１６０とを「マージする」ために、）受信されたメッセージ１８０に基づいてＮＡＮ発見処理を遂行しうる。特定の実施形態において、ＮＡＮ１１０のデバイスは、同時に多数のＮＡＮの一部でありうるか、または多数のＮＡＮを共により大きなＮＡＮへとマージ／ブリッジしうる。
【００４０】
[0054] 図１のシステム１００は、このように、モバイルデバイス１３０がメッセージ１４０を受信する低電力ＮＡＮ発見処理の様々な実施形態をサポートしうる。発見ビーコンを検出するために、１００−２００ｍｓの間、高電力消費デバイス（例えば、第２のトランシーバ１３４）を動作させる代わりに、モバイルデバイス１３０は、発見ビーコンを受信し、発見ウィンドウ中にＮＡＮ中で通信するために（メッセージ１４０から決定された）適切な時間において高電力消費デバイスを選択的にアクティブ化しうる。
【００４１】
[0055] １つまたは複数の実施形態が、ＮＡＮに入るデバイスに関連して本明細書で説明されるが、説明される低電力ＮＡＮ発見処理はまた、既にＮＡＮ１１０のようなＮＡＮの一部であるデバイスによって使用されうることに留意されたい。例えば、ＮＡＮ１１０に加わった後で、モバイルデバイスは、第２のＮＡＮに関連付けられたメッセージ（例えば、ウェイクアップメッセージ）を受信しうる。第２のＮＡＮは、ＮＡＮ１１０に「重複」しうる（例えば、多数のＮＡＮは、ＮＡＮデバイス１２０のうちの１つまたは複数のような１つまたは複数の電子デバイスを「共有」しうる）。モバイルデバイス１３０は、第２のＮＡＮ中の発見ビーコンの送信時間、第２のＮＡＮ中の発見ウィンドウの開始時間、またはその両方の組み合わせを決定するために、受信されたメッセージを使用しうる。モバイルデバイス１３０は、第２のＮＡＮに加わり、（例えば、第２のＮＡＮに加わるために、および／または、ＮＡＮ１１０と第２のＮＡＮとを「マージする」ために、）受信されたメッセージに基づいてＮＡＮ発見処理を遂行しうる。特定の実施形態において、デバイスは、同時に多数のＮＡＮの一部でありうるか、または多数のＮＡＮを共により大きなＮＡＮへとマージ／ブリッジしうる。
【００４２】
[0056] 図２は、ＮＡＮ発見処理の第１の実施形態を例示し、概して２００と示される。図２において、ＮＡＮ動作は、第１の水平軸２０１に沿って例示され、デバイスにおいて低電力消費をもたらす動作（例えば、ＩＥＥＥ８０２．１１ａｈワイヤレスプロトコルに関連付けられた動作）は、第２の水平軸２０２に沿って例示される。左から右に掛けて、水平軸２０１、２０２は、時間を表す。図２に関連して説明される動作は、図１のＮＡＮ１１０に関連して遂行されうる。
【００４３】
[0057] 図２中に示されるように、１つまたは複数のＮＡＮデバイス（例えば、図１のＮＡＮデバイス１２０のうちのいずれか）は、図１に関連して説明された第１のワイヤレスプロトコルのような第１のワイヤレスプロトコルに関連付けられた低電力消費デバイス（例えば、第１のトランシーバ１２２）を介してウェイクアップメッセージを周期的に送信しうる。いくつかのケースにおいて、ウェイクアップメッセージは、ＮＡＮ１１０のマスターデバイスによって送信されうる。例示的な例として、ＮＡＮデバイス１２０−３は、ＮＡＮ１１０のマスターデバイスとして機能し、ＮＡＮデバイス１２０−３は、図１のメッセージ１４０を送信しうる。
【００４４】
[0058] 第１のモバイルデバイス（例えば、図１のモバイルデバイス１３０）が時間ｔ１においてＮＡＮカバレッジエリア中に到着するとき、第１のモバイルデバイスは、第１のワイヤレスプロトコルに関連付けられた低電力消費デバイス（例えば、第１のトランシーバ１３２）を介して第１のウェイクアップメッセージ２１０を受信しうる。第１のウェイクアップメッセージ２１０は、図１に関連して説明された第２のワイヤレスプロトコルのような第２のワイヤレスプロトコルに関連付けられた高電力消費デバイス（例えば、第２のトランシーバ１２４）を介してＮＡＮを使用して送信されるべきである第１の発見ビーコン２３０より前の「知られている」時間オフセット２４０で送信されうる。第１の発見ビーコン２３０は、図１の情報１９０中に含まれうる。第１のモバイルデバイスは、第２のワイヤレスプロトコルに関連付けられた高電力消費デバイス（例えば、第２のトランシーバ１３４）を介して第１の発見ビーコン２３０を受信し、第１の発見ビーコン２３０に基づいて次の発見ウィンドウ（ＤＷ）２５２の開始時間を決定しうる。
【００４５】
[0059] 第２のモバイルデバイス（例えば、図１のモバイルデバイス１５０）が時間ｔ２においてＮＡＮカバレッジエリア中に到着するとき、第２のモバイルデバイスは、第１のワイヤレスプロトコルに関連付けられた低電力消費デバイスを介して第２のウェイクアップメッセージ２１２を受信しうる。第２のウェイクアップメッセージ２１２は、ＮＡＮデバイス１２０−３のような、ＮＡＮデバイス１２０のうちの１つによって送信されうる。第２のウェイクアップメッセージ２１２は、図１のメッセージ１４０に対応する１つまたは複数の特徴を有しうる。
【００４６】
[0060] 第２のウェイクアップメッセージ２１２は、高電力消費デバイスを介してＮＡＮを使用して送信されるべきである第２の発見ビーコン２３２より前の「知られている」時間オフセット２４０で送信されうる。第２のモバイルデバイスは、第２のワイヤレスプロトコルに関連付けられた高電力消費デバイスを介して第２の発見ビーコン２３２を受信し、第２の発見ビーコン２３２に基づいて次の発見ウィンドウ（ＤＷ）２５２の開始時間を決定しうる。発見ウィンドウ２５２中に、第１のモバイルデバイスおよび第２のモバイルデバイスの両方は、それぞれの高電力消費デバイス（例えば、送信機、受信機、トランシーバ、等）をアクティブ化し、１つまたは複数のＮＡＮ発見動作を遂行しうる。図２中に示されるように、同期ビーコン２２０は、（例えば、クロック同期目的で）各発見ウィンドウの開始時に送信されうる。
【００４７】
[0061] 図３は、ＮＡＮ発見処理の第２の実施形態を例示し、概して３００と示される。図３に関連して説明される動作は、図１のＮＡＮ１１０に関連して遂行されうる。図３において、ウェイクアップメッセージは、（例えば、図２中におけるように、発見ビーコンより前の「知られている」時間オフセットでの代わりに）発見ウィンドウの開始より前の「知られている」時間オフセット３４０で送信される。
【００４８】
[0062] 例えば、第１のウェイクアップメッセージ３１０は、第１の発見ウィンドウ２５０の開始より前の「知られている」時間オフセット３４０でＮＡＮデバイス１２０のうちの１つによって（例えば、ＮＡＮデバイス１２０−３によって）送信されうる。同様に、第２のウェイクアップメッセージ３１２は、発見ウィンドウ２５２の開始より前の「知られている」時間オフセット３４０でＮＡＮデバイス１２０のうちの１つによって（例えば、ＮＡＮデバイス１２０−３によって）送信されうる。ウェイクアップメッセージ３１０、３１２のうちの１つまたは両方は、図１のメッセージ１４０に対応する１つまたは複数の特徴を有しうる。ウェイクアップメッセージ３１０、３１２のうちの１つまたは両方は、第１のトランシーバ１２２を使用するといったように、図１に関連して説明された第１のワイヤレスプロトコルにしたがって送信されうる。
【００４９】
[0063] モバイルデバイス（例えば、モバイルデバイス１３０）は、図１に関連して説明された第１のワイヤレスプロトコルに基づいて動作する受信機またはトランシーバを使用して（例えば、第１のトランシーバ１３２を使用して）ウェイクアップメッセージ３１０または３１２を受信しうる。ウェイクアップメッセージ３１０または３１２を受信することに応答して、モバイルデバイスは、（図２の例におけるように）発見ビーコンを受信するために高電力消費デバイスをアクティブ化することなしに、次の発見ウィンドウ２５０または２５２がいつ生じるのかを決定しうる。
【００５０】
[0064] 図４は、ＮＡＮ発見処理の第３の実施形態を例示し、概して４００と示される。図３に関連して説明される動作は、図１のＮＡＮ１１０に関連して遂行されうる。図３とは対照的に、図４において、ＮＡＮデバイス（例えば、図１のＮＡＮデバイス１２０）は、４０２において示されるように、発見ビーコンを送信することを避ける。新たに到着するデバイス（例えば、モバイルデバイス１３０）は、発見ビーコンを使用することなしに、次の発見ウィンドウ２５０、２５２がいつ生じるのかを決定するためにウェイクアップメッセージ３１０、３１２を利用しうる。図４中におけるように発見ビーコンの送信を低減または除去することは、ＮＡＮ１１０を使用して送信された通信を低減し、ＮＡＮデバイスによる電力消費を低減しうる。
【００５１】
[0065] ネットワーク発見を遂行するとき、モバイルデバイス１３０は、「パッシブ」走査または「アクティブ」走査に従事しうる。（例えば、図１−４に関連して説明された）パッシブ走査において、モバイルデバイス１３０は、第１のワイヤレスプロトコルに関連付けられた低電力消費デバイスを介して送信されるメッセージ（例えば、メッセージ１４０）を「リッスン」するか、または「待つ」ことがありうる。アクティブ走査中、モバイルデバイス１３０は、ＮＡＮデバイス１２０のうちの１つまたは複数にＮＡＮ発見情報をアクティブに要求しうる。
【００５２】
[0066] 図５は、アクティブ走査を使用して低電力ＮＡＮ発見処理をサポートするように動作可能であるシステム５００の特定の実施形態を例示する。システム５００は、図１のＮＡＮ１１０、図１のＮＡＮデバイス１２０、および図１のモバイルデバイス１３０、１５０を含む。
【００５３】
[0067] 動作中、モバイルデバイス１３０は、ＮＡＮに関連付けられた第２のワイヤレスプロトコルに関連付けられた高電力消費デバイスを介して（例えば、図１の第２のワイヤレスプロトコルを使用して、第２のトランシーバ１３４を介して）プローブ要求５０１（例えば、プローブ要求メッセージまたはフレーム）を送信しうる。代替としてまたは加えて、モバイルデバイス１３０は、第１のワイヤレスプロトコルに関連付けられた低電力消費デバイスを（例えば、図１の第１のワイヤレスプロトコルを使用して、第１のトランシーバ１３２を）介して（プローブ要求５０１のような）プローブ要求を送信しうる。
【００５４】
[0068] ＮＡＮデバイス１２０のうちの１つまたは複数は、プローブ要求５０１を受信しうる。例えば、図５の例において、ＮＡＮデバイス１２０−３は、プローブ要求５０１を受信しうる。プローブ要求５０１を受信することに応答して、ＮＡＮデバイス１２０−３は、（例えば、第１のトランシーバ１２２を使用して、第１のワイヤレスプロトコルを介して、または第２のトランシーバ１２４を使用して、第２のワイヤレスプロトコルを介して）モバイルデバイス１３０にプローブ応答５０２（例えば、図１のメッセージ１４０）を送信しうる。プローブ応答５０２は、図１の発見情報１４２のような発見情報を示す。例示するために、プローブ要求は、発見ビーコンの送信時間、今度の発見ウィンドウ（例えば、今後の発見ウィンドウに関連付けられたスケジュール／タイミング情報）、またはそれらの組み合わせを示しうる。特定の実施形態において、ＮＡＮデバイス１２０−３は、低電力受信動作モードを使用してプローブ要求５０１を受信する。低電力受信モードは、第１のワイヤレスプロトコルに対応しうる。
【００５５】
[0069] 特定の実施形態において、ＮＡＮデバイス１２０は、（プローブ要求５０１のようなプローブ要求が検出／受信されることができる）低電力受信モードと（プローブ要求が検出／受信されない）省電力モードとの間で「交互に（take turns）」遷移しうる。この例において、ＮＡＮデバイス１２０は、ＮＡＮデバイス１２０の各々がいつ低電力受信モードを使用すべきかを決定する低電力受信モードスケジュールにしたがって動作しうる。ＮＡＮ１１０のＮＡＮデバイス１２０の数が増加する場合、ＮＡＮデバイス１２０の各々は、（より多くの数のＮＡＮデバイスが低電力受信モードを「共有」するので）より短い時間の持続時間の間、プローブ要求を検出／受信するために受信モードのままでありうる。特定の実施形態において、ＮＡＮデバイス１２０の各々は、受信モードおよび省電力モードにおいて同じ量の時間を費やす（例えば、ＮＡＮデバイス１２０の各々は、共通の切替時間期間にしたがってモードを切り替える）。しかしながら、少なくともしきい値数のＮＡＮデバイス１２０が任意の所与の時間にプローブ要求を受信／検出するために利用可能であるように、ＮＡＮデバイス１２０の受信モード動作はスタガされ（staggered）うる。
【００５６】
[0070] ＮＡＮデバイス１２０が低電力受信モードスケジュールを決定するために（例えば、ＮＡＮ１１０を介して送信される）通信を使用しうることが認識されるべきである。例示的な例として、ＮＡＮ１１０のマスターデバイスは、低電力受信モードスケジュールを決定し、（プローブ要求５０１のような任意のプローブ要求を検出するために低電力受信モードがその間使用されるべきである）対応する低電力受信モード時間間隔をＮＡＮデバイス１２０−３の各々に「割り当て」うる。別の例において、ＮＡＮ１１０に「加わる」最新のデバイスは、低電力受信モードを使用することを担いうる。例示するために、モバイルデバイス１３０が、ＮＡＮ１１０のカバレッジエリアに入った際にＮＡＮ１１０に加わる場合、モバイルデバイス１３０は、新たに到着するデバイスから（例えば、図１のモバイルデバイス１５０から）任意のプローブ要求を受信するために低電力受信モードを使用することを担いうる。
【００５７】
[0071] 図５のシステム５００は、このように、アクティブ走査を使用して低電力ＮＡＮ発見処理をサポートしうるものであり、その中において、モバイルデバイス１３０は、プローブ要求５０１を送信し、プローブ応答５０２を受信する。発見ビーコンを検出するために、１００−２００ｍｓの間、第２のワイヤレスプロトコルに関連付けられた高電力消費デバイス（例えば、第２のトランシーバ１３４）を動作させる代わりに、モバイルデバイス１３０は、発見ウィンドウに関与する（participate in）ために（プローブ応答５０２から決定された）適切な時間において高電力消費デバイス（例えば、第１のトランシーバ１３２）を選択的にアクティブ化しうる。
【００５８】
[0072] 図６を参照すると、電子デバイスの動作（例えば、通信）の方法６００の第１の実施形態が示されている。例えば、電子デバイスは、図１のＮＡＮデバイス１２０のうちの１つのようなＮＡＮデバイスでありうる。
【００５９】
[0073] 方法６００は、６０１において、第１のワイヤレスプロトコルを介してＮＡＮ（例えば、ＮＡＮ１１０）中の電子デバイス（例えば、ＮＡＮデバイス１２０−３）から、第２のワイヤレスプロトコルに関連付けられた発見情報（例えば、発見情報１４２）を示すウェイクアップメッセージ（例えば、メッセージ１４０またはウェイクアップメッセージ２１０）を送信することを含みうる。例えば、ＮＡＮデバイス１２０のうちの１つは、第１のワイヤレスプロトコルにしたがってモバイルデバイス１３０にウェイクアップメッセージを送信し、モバイルデバイス１３０は、第１のワイヤレスプロトコルにしたがってウェイクアップメッセージを受信しうる。発見情報は、第２のワイヤレスプロトコルに関連付けられる。例えば、例示的な例として、発見情報は、第２のワイヤレスプロトコルにしたがって送信されるべき発見ビーコンの送信時間、デバイスが第２のワイヤレスプロトコルにしたがってその間通信する発見ウィンドウ、またはデバイスが第２のワイヤレスプロトコルにしたがってその間通信する発見ウィンドウの時間インジケーションを示しうる。この例において、方法６００はさらに、（例えば、発見情報中の）発見ビーコンの送信時間を示すこと、または（例えば、ＮＡＮを介して通信された情報中の）発見ビーコンを送信することを含みうる。発見ウィンドウは、およそ１６ミリ秒（ｍｓ）の持続時間を有しうる。
【００６０】
[0074] ウェイクアップメッセージは、電子デバイスの低電力消費デバイスを使用して送信され、低電力消費デバイスは、第１のワイヤレスプロトコルに関連付けられうる。例示するために、低電力消費デバイスは、第１のトランシーバ１２２に対応しうるものであり、それは、図１に関連して説明された第１のワイヤレスプロトコルに関連付けられる。
【００６１】
[0075] 特定の実施形態において、第１のワイヤレスプロトコルは、サブ１ＧＨｚの周波数帯域に関連付けられ、第２のワイヤレスプロトコルは、２．４ＧＨｚの周波数帯域に関連付けられる。例示的な例として、第１のワイヤレスプロトコルは、ＩＥＥＥ８０２．１１ａｈワイヤレスプロトコルでありうる。別の例において、第１のワイヤレスプロトコルは、サブ１ＧＨｚの周波数帯域に関連付けられ、第２のワイヤレスプロトコルは、５ＧＨｚの周波数帯域に関連付けられる。別の例において、第１のワイヤレスプロトコルは、２．４ＧＨｚの周波数帯域に関連付けられ、第２のワイヤレスプロトコルは、５ＧＨｚの周波数帯域に関連付けられる。他のケースにおいて、第１のワイヤレスプロトコルおよび第２のワイヤレスプロトコルは、他の周波数帯域に関連付けられた他のワイヤレスプロトコルに対応しうる。いくつかのインプリメンテーションにおいて、電子デバイスは、ＮＡＮ１１０のマスターデバイスに対応する。
【００６２】
[0076] いくつかの例において、発見情報は、第２のワイヤレスプロトコルに関連付けられた発見ビーコンの送信時間を示す。例えば、図２を参照すると、発見ビーコンは、発見ビーコン２３０または発見ビーコン２３２に対応し、ウェイクアップメッセージを送信することは、発見ビーコンの送信より前の特定の時間オフセット（例えば、時間オフセット２４０）で生じうる。
【００６３】
[0077] 別の例において、発見情報は、第２のワイヤレスプロトコルに関連付けられた発見ウィンドウを示す。例えば、図３を参照すると、発見ウィンドウは、発見ウィンドウ２５０または発見ウィンドウ２５２に対応しうる。ウェイクアップメッセージを送信することは、発見ウィンドウの開始より前の特定の時間オフセット（例えば、時間オフセット３４０）で生じうる。いくつかのインプリメンテーションにおいて、発見ウィンドウは、およそ１６ミリ秒（ｍｓ）の持続時間を有する。さらに、いくつかのケースにおいて、ＮＡＮ中のデバイスは、第２のワイヤレスプトコルを介して発見ビーコンを送信することを避ける。例えば、図４を参照すると、４０２において、ＮＡＮデバイスは、第２のワイヤレスプロトコルを介して発見ビーコンを送信することを避けうる。
【００６４】
[0078] いくつかのケースにおいて、ウェイクアップメッセージは、プローブ応答（例えば、図５のプローブ応答５０２）である。例示するために、ウェイクアップメッセージは、モバイルデバイス（例えば、モバイルデバイス１３０）によって送信されたトリガメッセージ（例えば、プローブ要求５０１）を検出することに応答して電子デバイスによって送信されうる。
【００６５】
[0079] 方法６００はさらに、６０２において、ウェイクアップメッセージを送信した後で、第２のワイヤレスプロトコルを使用して、ＮＡＮを介して情報を通信することを含みうる。例えば、電子デバイスは、図１の情報１９０のような情報をＮＡＮ１１０を介して通信しうる。例示するために、図１は、ＮＡＮデバイス１２０−３がモバイルデバイス１３０に情報１９０を送信しうることを示す。例えば、例示的な例として、情報１９０は、（例えば、図２の発見ビーコン２３０または同期ビーコン２２０のような）ビーコン、データ、１つまたは複数のＮＡＮサービスのインジケーション、ＮＡＮスケジュール情報、１つまたは複数のメッセージ（例えば、異なる時間において送信された１つまたは複数のメッセージ）、またはそれらの組み合わせを含みうる。別の例示として、情報１９０は、発見ウィンドウ２５０、発見ウィンドウ２５２を示しうる。別の例として、ＮＡＮを介して通信することは、モバイルデバイス１３０にデータを送信すること、モバイルデバイス１３０からデータを受信すること、またはそれらの任意の組み合わせを含みうる。代替としてまたは加えて、ＮＡＮを介して情報を通信することは、ＮＡＮに関連付けられた発見ウィンドウ中の通信を含みうる。発見ビーコン、同期ビーコン、または発見ウィンドウのうちの１つまたは複数が、６０１において送信されたウェイクアップメッセージの発見情報によって示されうることが認識されるべきである。
【００６６】
[0080] 方法６００はオプションとして、第１のワイヤレスプロトコルを介して電子デバイスで、別の電子デバイス（例えば、ＮＡＮデバイス１７０）からのメッセージ（例えば、メッセージ１８０）を受信することを含みうる。メッセージは、第２のワイヤレスプロトコルにしたがって動作している別のＮＡＮ（例えば、ＮＡＮ１６０）に関連付けられた発見情報（例えば、発見情報１８２）を示す。例えば、メッセージは、別のＮＡＮに関連付けられた発見ビーコンの送信時間、別のＮＡＮの発見ウィンドウの時間インジケーション、またはそれらの組み合わせを示しうる。発見ビーコンが発見ビーコン２３０、２３２のうちのいずれかに関連して説明されたようにインプリメントされ、発見ウィンドウが発見ウィンドウ２５０、２５２のうちのいずれかに関連して説明されたようにインプリメントされうることが認識されるべきである。
【００６７】
[0081] 図６の方法６００は、デバイスの電力消費を低減しうる。例えば、ウェイクアップメッセージを送信するために第１のワイヤレスプロトコルに関連付けられた低電力消費デバイスを使用することによって、ＮＡＮデバイスは、ＮＡＮ発見処理を可能にするためにウェイクアップメッセージを送信するときに第２のワイヤレスプトコルに関連付けられた高電力消費デバイスを利用することを避けうる。
【００６８】
[0082] 図７を参照すると、ＮＡＮに入るデバイスの動作の方法７００の第１の実施形態が示されている。例えば、方法７００は、図１のモバイルデバイス１３０によって遂行されうる。
【００６９】
[0083] 方法７００は、７０１において、ＮＡＮ（例えば、ＮＡＮ１１０）に関連付けられた発見情報（例えば、発見情報１４２）を示すウェイクアップメッセージ（例えば、メッセージ１４０または図２のウェイクアップメッセージ２１０）を受信することを含みうる。ウェイクアップメッセージは、常時オンの低電力消費デバイス（例えば、図１に関連して説明された第１のワイヤレスプロトコルのような第１のワイヤレスプロトコルに関連付けられた受信機またはトランシーバ）を介して受信されうる。例えば、図１のモバイルデバイス１３０は、ＮＡＮデバイス１２０のうちの１つから図１のメッセージ１４０を受信するために第１のワイヤレスプロトコルを使用する低電力消費デバイスを含みうる。モバイルデバイス１３０は、第１のトランシーバ１３２を使用して第１のワイヤレスプロトコルにしたがってウェイクアップメッセージを受信しうる。
【００７０】
[0084] 方法７００はさらに、７０２において、ウェイクアップメッセージによって示された発見情報に基づいて高電力消費デバイス（例えば、第２のトランシーバ１３４）をアクティブ化することを含みうる。例えば、例示的な例として、発見情報は、第２のワイヤレスプロトコルの発見ビーコンの送信時間、第２のワイヤレスプロトコルの発見ウィンドウ、または第２のワイヤレスプロトコルの発見ウィンドウの時間インジケーションを示しうる。
【００７１】
[0085] 方法７００はさらに、７０３において、発見ウィンドウ中に、（例えば、ウェイクアップメッセージの発見情報に基づいて）ＮＡＮの少なくとも１つのデバイスに関連付けられた少なくとも１つの発見動作を遂行することを含みうる。例えば、発見ウィンドウ（例えば、図２の発見ウィンドウ２５２）中に、モバイルデバイス１３０は、図１のＮＡＮデバイス１２０のうちの１つまたは複数と（例えば、第２のワイヤレスプロトコルに基づいて）通信しうるか、ＮＡＮデバイス１２０によって提供されたサービスを発見しうるか、ＮＡＮデバイス１２０とデータを交換しうるか、後のデータ交換をスケジュールしうるか、または他の動作を遂行しうる。
【００７２】
[0086] 図７の方法７００は、デバイスに関連付けられた電力消費を低減しうる。例えば、ウェイクアップメッセージを受信するために第１のワイヤレスプロトコルに関連付けられた低電力消費デバイスを使用することによって、デバイスは、ＮＡＮを発見するために第２のワイヤレスプトコルに関連付けられた高電力消費デバイスを利用することを避けうる。
【００７３】
[0087] 図８−１１は、図６および７に関連して説明されたウェイクアップメッセージによって示されうる発見情報の例を説明する。
【００７４】
[0088] 図８を参照すると、ＮＡＮのデバイスの動作の方法８００の第２の実施形態が示されている。例えば、方法８００は、図１のＮＡＮデバイス１２０のうちの１つのようなＮＡＮデバイスによって遂行されうる。
【００７５】
[0089] 方法８００は、８０１において、第１のワイヤレスプロトコルを介してＮＡＮデバイス（例えば、ＮＡＮデバイス１２０−３）からウェイクアップメッセージ（例えば、メッセージ１４０またはウェイクアップメッセージ２１０）を送信することを含みうる。例えば、ＮＡＮデバイス１２０のうちの１つは、低電力消費デバイス（例えば、第１のトランシーバ１２２）を介してモバイルデバイス１３０にウェイクアップメッセージを送信しうる。ウェイクアップメッセージは、第２のワイヤレスプロトコルに関連付けられた発見ビーコンの送信時間、第２のワイヤレスプロトコルに関連付けられた発見ビーコンの送信時間、またはそれらの組み合わせのような発見情報（例えば、発見情報１４２）を示しうる。例示的な実施形態において、ウェイクアップメッセージは、図２のウェイクアップメッセージ２１０であり、発見ビーコンは、図２の発見ビーコン２３０でありうるもので、ここで、ウェイクアップメッセージ２１０は、第１の発見ビーコン２３０の開始より前の特定の時間オフセット２４０で送信される。
【００７６】
[0090] 方法８００はさらに、８０２において、ウェイクアップメッセージを送信した後で、第２のワイヤレスプロトコルを使用して、ＮＡＮを介して情報を通信することを含みうる。例えば、図１のＮＡＮデバイス１２０のうちの１つは、図１の情報１９０のような情報を図１のＮＡＮ１１０を介して通信しうる。例示するために、図１のＮＡＮデバイス１２０のうちの１つは、発見ビーコン（例えば、発見ビーコン２３０、２３２のうちの１つ）、同期ビーコン（例えば、同期ビーコン２２０）、またはそれらの組み合わせのような情報１９０を送信しうる。代替としてまたは加えて、ＮＡＮを介して情報を通信することは、発見ウィンドウ２５０または発見ウィンドウ２５２のような発見ウィンドウ中の通信を含みうる。
【００７７】
[0091] 図９を参照すると、ＮＡＮに入るデバイスの動作の方法９００の第２の実施形態が示されている。例えば、方法９００は、図１のモバイルデバイス１３０によって遂行されうる。
【００７８】
[0092] 方法９００は、９０１において、ＮＡＮに関連付けられた発見ビーコンの送信時間を示すウェイクアップメッセージ（例えば、メッセージ１４０またはウェイクアップメッセージ２１０）を受信することを含みうる。ウェイクアップメッセージは、常時オンの低電力消費デバイス（例えば、第１のワイヤレスプロトコルに関連付けられた受信機またはトランシーバ）を介して受信されうる。例えば、常時オンの低電力消費デバイスは、図１の第１のトランシーバ１３２に対応しうる。モバイルデバイス１３０は、図１の第１のワイヤレスプロトコルにしたがってＮＡＮデバイス１２０のうちの１つから図１のメッセージ１４０または図２のウェイクアップメッセージ２１０を受信しうるものであり、ここで、メッセージ１４０は、発見ビーコン（例えば、図２の発見ビーコン２３０）の送信時間を示す。
【００７９】
[0093] 方法９００はさらに、９０２において、ウェイクアップメッセージによって示された送信時間に基づいて発見ビーコンを検出するために高電力消費デバイスをアクティブ化することを含みうる。高電力消費デバイスは、第２のトランシーバ１３４に対応しうる。例えば、図２のウェイクアップメッセージ２１０を受信した後で、図１のモバイルデバイス１３０は、特定の量の時間の間待ち、それから図１に関連して説明された第２のワイヤレスプロトコルを使用して図２の発見ビーコン２３０を検出するために第２のトランシーバ１３４をアクティブ化しうる。
【００８０】
[0094] 方法９００はさらに、９０３において、発見ビーコンに基づいて発見ウィンドウの開始時間を決定することを含みうる。例えば、図２の発見ビーコン２３０を検出した後で、図１のモバイルデバイス１３０は、図２の発見ウィンドウ２５２の開始時間を決定するために発見ビーコン２３０に関連付けられた情報（例えば、「知られている」オフセットまたは発見ビーコン２３０中のデータ）を使用しうる。
【００８１】
[0095] 方法９００はさらに、９０４において、発見ビーコンを検出した後で高電力消費デバイスを非アクティブ化することを含みうる。（９０３において）発見ウィンドウの開始時間を決定することと、（９０４において）高電力消費デバイスを非アクティブ化することとは、逆の順序で、または少なくとも部分的に同時に、遂行されうることに留意されたい。例えば、図２の発見ウィンドウ２５２の開始時間を決定した後で、図１のモバイルデバイス１３０は、電力を節約するためにそれの高電力消費デバイスを非アクティブ化しうる。図１のモバイルデバイス１３０は、それの常時オンの低電力消費デバイスを動作させ続けうる。
【００８２】
[0096] 方法９００はさらに、９０５において、発見ウィンドウの開始時間に基づいて高電力消費デバイスを再アクティブ化することを含みうる。例えば、図２の発見ウィンドウ２５２の開始時間に達すると（またはスタートアップあるいは処理遅延を考慮して（account for）開始時間よりわずかに前の時間において）、図１のモバイルデバイス１３０は、発見ウィンドウ２５２にアクセスするために高電力消費デバイスを再アクティブ化しうる。
【００８３】
[0097] 方法９００はさらに、９０６において、発見ウィンドウ中に、ＮＡＮの少なくとも１つのデバイスに関連付けられた少なくとも１つの発見動作を遂行することを含みうる。例えば、発見ウィンドウ２５２中に、モバイルデバイス１３０は、ＮＡＮデバイス１２０を発見しうるか、ＮＡＮデバイス１２０によって提供されたサービスを発見しうるか、ＮＡＮデバイス１２０とデータを交換しうるか、後のデータ交換をスケジュールしうるか、または他の動作を遂行しうる。
【００８４】
[0098] 図１０を参照すると、ＮＡＮのデバイスの動作の方法１０００の第３の実施形態が示されている。例えば、方法１０００は、図１のＮＡＮデバイス１２０のうちの１つのようなＮＡＮデバイスによって遂行されうる。
【００８５】
[0099] 方法１０００は、１００１において、第１のワイヤレスプロトコルを介してＮＡＮデバイスからウェイクアップメッセージを送信することを含みうる。ウェイクアップメッセージは、発見ウィンドウの開始より前の特定の時間オフセットで送信されうる。例えば、図１のＮＡＮデバイス１２０のうちの１つは、第１のワイヤレスプロトコル（例えば、ＩＥＥＥ８０２．１１ａｈワイヤレスプロトコル）に関連付けられた低電力消費デバイスを介して図１のメッセージ１４０を送信しうるものであり、ここで、メッセージ１４０は、ＮＡＮ１１０の今後の発見ウィンドウを示す。例示的な実施形態において、メッセージ１４０は、図３のウェイクアップメッセージ３１０であり、発見ウィンドウは、図３の発見ウィンドウ２５０でありうるもので、ここで、ウェイクアップメッセージ３１０は、発見ウィンドウ２５０の開始より前の特定の時間オフセット３４０で送信される。
【００８６】
[00100] 方法１０００はさらに、１００２において、ウェイクアップメッセージを送信した後で、第２のワイヤレスプロトコルを使用して、ＮＡＮを介して情報を通信することを含みうる。例えば、図１のＮＡＮデバイス１２０のうちの１つは、図１のＮＡＮ１１０を介して情報を通信しうる。例示するために、図１のＮＡＮデバイス１２０のうちの１つは、発見ビーコン（例えば、発見ビーコン２３０、２３２のうちの１つ）、同期ビーコン（例えば、同期ビーコン２２０）、またはそれらの組み合わせを送信しうる。代替としてまたは加えて、ＮＡＮを介して情報を通信することは、発見ウィンドウ２５０または発見ウィンドウ２５２のような発見ウィンドウ中の通信を含みうる。
【００８７】
[00101] 図１１を参照すると、ＮＡＮに入るデバイスの動作の方法１１００の第３の実施形態が示されている。例えば、方法１１００は、図１のモバイルデバイス１３０によって遂行されうる。
【００８８】
[00102] 方法１１００は、１１０１において、発見ウィンドウを示すウェイクアップメッセージを受信することを含みうる。ウェイクアップメッセージは、常時オンの低電力消費デバイス（例えば、第１のワイヤレスプロトコルに関連付けられた受信機またはトランシーバ）を介して受信されうる。例えば、図１のモバイルデバイス１３０は、ＮＡＮデバイス１２０のうちの１つから送信された図１のメッセージ１４０を受信しうるものであり、ここで、メッセージ１４０は、ＮＡＮ発見ウィンドウを示す。例示のために、メッセージ１４０は、図３のウェイクアップメッセージ３１０であり、発見ウィンドウは、図３の発見ウィンドウ２５０でありうる。ウェイクアップメッセージ３１０は、発見ウィンドウ２５０の開始より前の特定の時間オフセット３４０で送信されうる。
【００８９】
[00103] 方法１１００はさらに、１１０２において、ウェイクアップメッセージに基づいてＮＡＮに関連付けられた発見ウィンドウの開始時間を決定することを含みうる。例えば、図３のウェイクアップメッセージ３１０を受信した後で、図１のモバイルデバイス１３０は、ウェイクアップメッセージ３１０に基づいて（例えば、オフセット３４０またはウェイクアップメッセージ３１０中に含まれたデータに基づいて）発見ウィンドウ２５０の開始時間を決定しうる。
【００９０】
[00104] 方法１１００はさらに、１１０３において、発見ウィンドウの開始時間に基づいて高電力消費デバイスをアクティブ化することを含みうる。例えば、図１のモバイルデバイス１３０は、発見ウィンドウ２５０の開始時間において（またはスタートアップあるいは処理遅延を考慮して開始時間よりわずかに前の時間において）高電力消費デバイス（例えば、第２のワイヤレスプロトコルに関連付けられた２．４ＧＨｚまたは５ＧＨｚの受信機あるいはトランシーバ）をアクティブ化しうる。
【００９１】
[00105] 方法１１００は、１１０４において、発見ウィンドウ中に、ＮＡＮの少なくとも１つのデバイスに関連付けられた少なくとも１つの発見動作を遂行することを含みうる。例えば、図３の発見ウィンドウ２５０中に、モバイルデバイス１３０は、ＮＡＮデバイス１２０を発見しうるか、ＮＡＮデバイス１２０によって提供されたサービスを発見しうるか、ＮＡＮデバイス１２０とデータを交換しうるか、後のデータ交換をスケジュールしうるか、または他の動作を遂行しうる。
【００９２】
[00106] 図１２を参照すると、ＮＡＮのデバイスにおける動作の方法１２００の第４の実施形態が示されている。方法１２００は、図５のＮＡＮデバイス１２０のうちの１つを使用して遂行されうる。
【００９３】
[00107] 方法１２００は、１２０１において、ＮＡＮ中の電子デバイスにおける低電力消費デバイスを介して、モバイルデバイスからプローブ要求を受信することを含みうる。低電力消費デバイスは、第１のワイヤレスプロトコル（例えば、ＩＥＥＥ８０２．１１ａｈワイヤレスプロトコル）を使用して動作するように構成される。ＮＡＮは、複数の電子デバイスを含みうる。例えば、図５において、ＮＡＮデバイス１２０−３は、第１のワイヤレスプロトコルを介してモバイルデバイス１３０からプローブ要求５０１を受信しうる。
【００９４】
[00108] 方法１２００はさらに、１２０２において、低電力消費デバイスを介してモバイルデバイスにプローブ応答を送信することを含みうる。プローブ応答は、ＮＡＮの発見ウィンドウの時間インジケーションを提供しうる。例えば、図５において、ＮＡＮデバイス１２０−３は、第１のワイヤレスプロトコル（例えば、ＩＥＥＥ８０２．１１ａｈワイヤレスプロトコル）を使用して動作するように構成された低電力消費デバイスを利用してモバイルデバイス１３０にプローブ応答５０２を送信しうる。プローブ応答５０２は、図３の発見ウィンドウ２５０のようなＮＡＮの発見ウィンドウの時間インジケーションを提供しうる。
【００９５】
[00109] 方法１２００はさらに、１２０３において、複数の電子デバイス間に共通する切替時間期間にしたがって第１の動作モードおよび第２の動作モードで動作することの間で切り替えることを含みうる。例えば、図５において、ＮＡＮデバイス１２０−３は、ＮＡＮデバイス１２０−３がプローブ要求をその間検出し、受信し、および応答することが可能である受信モード、およびＮＡＮデバイス１２０−３がプローブ要求をその間検出し、受信し、または応答しない省電力モードで動作することの間で切り替えうる。図５のＮＡＮデバイス１２０の各々は、（例えば、共通の切替時間期間にしたがって）およそ同じ量の時間の間、受信モードおよび省電力モードのままでありうる。受信モードと省電力モードとの間で切り替えることは、少なくともしきい値数のＮＡＮデバイス１２０が任意の所与の時間において受信モードであるようにスタガされうる。特定の実施形態において、図５のＮＡＮデバイス１２０のうちの１つまたは複数は、ＮＡＮ１１０の一部のままでありうるか、または別のＮＡＮを発見し、発見されたＮＡＮに加わるように試みうる。
【００９６】
[00110] 図１３を参照すると、ＮＡＮに入るデバイスにおける動作の方法１３００の第４の実施形態が示されている。方法１３００は、図５のＮＡＮデバイス１３０を使用して遂行されうる。
【００９７】
[00111] 方法１３００は、１３０１において、低電力消費デバイスを介してモバイルデバイスからプローブ要求を送信することを含みうる。低電力消費デバイスは、第１のワイヤレスプロトコル（例えば、ＩＥＥＥ８０２．１１ａｈワイヤレスプロトコル）を使用して動作するように構成される。例えば、図５において、モバイルデバイス１３０は、低電力消費デバイス（例えば、第１のワイヤレスプロトコルに関連付けられた受信機またはトランシーバ）を利用してＮＡＮデバイス１２０−３にプローブ要求５０１を送信しうる。代替の実施形態において、モバイルデバイス１３０は、高電力消費デバイス（例えば、第２のワイヤレスプロトコルに関連付けられた受信機またはトランシーバ）を利用することによってプローブ要求５０１を送信しうる。
【００９８】
[00112] 方法１３００はさらに、１３０２において、低電力消費デバイスを介してＮＡＮ中の電子デバイスからプローブ応答を受信することを含みうる。プローブ応答は、ＮＡＮの発見ウィンドウの時間インジケーションを提供しうる。例えば、図５において、ＮＡＮデバイス１２０−３は、第１のワイヤレスプロトコル（例えば、ＩＥＥＥ８０２．１１ａｈワイヤレスプロトコル）を使用して動作するように構成された低電力消費デバイスを利用してモバイルデバイス１３０にプローブ応答５０２を送信しうる。プローブ応答５０２は、図３の発見ウィンドウ２５０のようなＮＡＮの発見ウィンドウの時間インジケーションを提供しうる。
【００９９】
[00113] 図１４を参照すると、ＮＡＮのデバイスにおける動作の方法１４００の第５の実施形態が示されている。方法１４００は、図１または図５のＮＡＮデバイス１２０のうちの１つを使用して遂行されうる。
【０１００】
[00114] 方法１４００は、１４０１において、第１のワイヤレスプロトコルを介して第１のＮＡＮのデバイスから、第２のワイヤレスプロトコルに関連付けられた発見情報を示すウェイクアップメッセージを送信することを含みうる。ウェイクアップメッセージは、第２のワイヤレスプロトコルに関連付けられた発見ビーコンの送信時間を示しうる。例えば、図１において、ＮＡＮ１１０（例えば、第１のＮＡＮ）のＮＡＮデバイス１２０−３は、第１のワイヤレスプロトコル（例えば、ＩＥＥＥ８０２．１１ａｈプロトコル）に関連付けられた低電力消費デバイスを介してモバイルデバイス１３０にウェイクアップメッセージ（例えば、図１のメッセージ１４０）を送信しうる。発見情報は、第１のＮＡＮの第２のワイヤレスプロトコル（例えば、２．４ＧＨｚの周波数帯域または５ＧＨｚの周波数帯域に関連付けられたワイヤレスプロトコル）に関連付けられうる。例示的な実施形態において、ウェイクアップメッセージは、図２のウェイクアップメッセージ２１０であり、発見ビーコンは、図２の発見ビーコン２３０であり、ウェイクアップメッセージ２１０は、第１の発見ビーコン２３０の開始より前の特定の時間オフセット２４０で送信される。
【０１０１】
[00115] 方法１４００は、１４０２において、第１のワイヤレスプロトコルを介して第１のＮＡＮのデバイスにおいて、第２のＮＡＮに関連付けられた発見情報を示す第２のウェイクアップメッセージを受信することを含みうる。第２のＮＡＮは、第２のワイヤレスプロトコルにしたがって動作しうる。例えば、図１において、ＮＡＮ１１０（例えば、第１のＮＡＮ）のＮＡＮデバイス１２０−３は、第１のワイヤレスプロトコル（例えば、ＩＥＥＥ８０２．１１ａｈワイヤレスプロトコル）に関連付けられた低電力消費デバイスを介して別のＮＡＮ（例えば、第２のＮＡＮ）のデバイスから第２のウェイクアップメッセージを受信しうる。
【０１０２】
[00116] 方法１４００はさらに、１４０３において、第２のウェイクアップメッセージに基づいて第２のＮＡＮに関してＮＡＮ発見処理を遂行することを含みうる。例えば、図１において、ＮＡＮデバイス１２０−３は、第２のＮＡＮ中の発見ビーコンの送信時間、第２のＮＡＮ中の発見ウィンドウの開始時間、またはそれらの組み合わせを決定するために、受信された第２のウェイクアップメッセージを使用しうる。ＮＡＮデバイス１２０−３は、第２のＮＡＮに加わり、第２のウェイクアップメッセージに基づいて第２のＮＡＮに関してＮＡＮ発見処理を遂行しうる。
【０１０３】
[00117] 図１５を参照すると、デバイスの特定の例示的な実施形態のブロック図が図示されており、概して１５００と示される。デバイス１５００は、メモリ１５３２に結合された、デジタル信号プロセッサのようなプロセッサ１５１０を含む。例示的な実施形態において、デバイス１５００、またはそれのコンポーネントは、図１または図５のＮＡＮデバイス１２０、図１または図５のモバイルデバイス１３０、図１のモバイルデバイス１５０、あるいはそれらのコンポーネントのうちの１つまたは複数に対応しうる。
【０１０４】
[00118] プロセッサ１５１０（例えば、デジタル信号プロセッサ（ＤＳＰ）、中央処理ユニット（ＣＰＵ）、ネットワーク処理ユニット（ＮＰＵ）、等）は、メモリ１５３２に記憶されたソフトウェア（例えば、１つまたは複数の命令１５６８のプログラム）を実行するように構成されうる。加えてまたは代替として、プロセッサ１５１０は、ワイヤレスインターフェース１５４０（例えば、ＩＥＥＥ８０２．１１ａ、８０２．１１ｂ、８０２．１１ｇ、８０２．１１ｎ、８０２．１１ａｃ、または８０２．１１ａｄワイヤレスプロトコルに準拠して動作するように構成された、および／または、２．４ＧＨｚの周波数帯域あるいは５ＧＨｚの周波数帯域に基づいて動作するように構成された、インターフェース）およびワイヤレスインターフェース１５４１（例えば、ＩＥＥＥ８０２．１１ａｈワイヤレスプロトコルに準拠して動作するように構成された、および／または、サブ１ＧＨｚの周波数帯域あるいは２．４ＧＨｚの周波数帯域に基づいて動作するように構成された、インターフェース）のメモリ中に記憶された１つまたは複数の命令をインプリメントするように構成されうる。特定の実施形態において、ワイヤレスインターフェース１５４１は、常時オンのインターフェースであり、ワイヤレスインターフェース１５４０は、選択的にアクティブ化および非アクティブ化されうる。
【０１０５】
[00119] 特定の実施形態において、プロセッサ１５１０は、図６−１１の方法のうちの１つまたは複数にしたがって動作するように命令１５６８を実行しうる。メモリ１５３２はまた、ＮＡＮ発見スケジュール情報１５６６を記憶しうる。例えば、ＮＡＮ発見スケジュール情報１５６６は、今度の発見ビーコンまたは発見ウィンドウの時間を指示しうる。例示的な実施形態において、ＮＡＮ発見スケジュール情報１５６６は、第１のワイヤレスプロトコルを介してまたは第２のワイヤレスプロトコル（例えば、図１に関連して説明された第２のワイヤレスプロトコル）を介してデバイス１５００によって受信された１つまたは複数のメッセージ（例えば、情報１９０）によって示されうる。
【０１０６】
[00120] ワイヤレスインターフェース１５４０は、プロセッサ１５１０およびアンテナ１５４２に結合されうる。例えば、ワイヤレスインターフェース１５４０は、アンテナ１５４２を介して受信されたデータがプロセッサ１５１０に提供されうるように、トランシーバ１５４６（例えば、８０２．１１ａ、８０２．１１ｂ、８０２．１１ｇ、８０２．１１ｎ、８０２．１１ａｃ、８０２．１１ａｄ、等のようなＩＥＥＥ規格に準拠したワイヤレストランシーバ）を介してアンテナ１５４２に結合されうる。ワイヤレスインターフェース１５４１は、プロセッサ１５１０およびアンテナ１５４３に結合されうる。例えば、ワイヤレスインターフェース１５４１は、アンテナ１５４３を介して受信されたデータがプロセッサ１５１０に提供されうるように、トランシーバ１５４７（例えば、８０２．１１ａｈのようなＩＥＥＥ規格に準拠したトランシーバ）を介してアンテナ１５４３に結合されうる。例示的なインプリメンテーションにおいて、デバイス１５００は、ＮＡＮデバイス１２０−３に対応し、トランシーバ１５４７は、第１のトランシーバ１２２に対応し、トランシーバ１５４６は、図１の第２のトランシーバ１２４に対応する。別のインプリメンテーションにおいて、デバイス１５００は、モバイルデバイス１３０に対応し、トランシーバ１５４７は、第１のトランシーバ１３２に対応し、トランシーバ１５４６は、図１の第２のトランシーバ１３４に対応する。
【０１０７】
[00121] コーダ／デコーダ（coder/decode）（ＣＯＤＥＣ）１５３４もまた、プロセッサ１５１０に結合されることができる。スピーカ１５３６およびマイクロフォン１５３８は、ＣＯＤＥＣ１５３４に結合されることができる。ディスプレイコントローラ１５２６は、プロセッサ１５１０およびディスプレイデバイス１５２８に結合されることができる。特定の実施形態において、プロセッサ１５１０、ディスプレイコントローラ１５２６、メモリ１５３２、ＣＯＤＥＣ１５３４、ワイヤレスインターフェース１５４０、トランシーバ１５４６、ワイヤレスインターフェース１５４１、およびトランシーバ１５４７は、システムインパッケージまたはシステムオンチップデバイス１５２２中に含まれる。特定の実施形態において、入力デバイス１５３０および電源１５４４は、システムオンチップデバイス１５２２に結合される。その上、特定の実施形態において、図１５中に例示されるように、ディスプレイ１５２８、入力デバイス１５３０、スピーカ１５３６、マイクロフォン１５３８、アンテナ１５４２、アンテナ１５４３、および電源１５４４は、システムオンチップデバイス１５２２の外部に存在する。しかしながら、ディスプレイデバイス１５２８、入力デバイス１５３０、スピーカ１５３６、マイクロフォン１５３８、アンテナ１５４２、アンテナ１５４３、および電源１５４４の各々は、１つまたは複数のインターフェースまたはコントローラのような、システムオンチップデバイス１５２２の１つまたは複数のコンポーネントに結合されることができる。
【０１０８】
[00122] 説明された実施形態と併せて、通信のための装置は、プロセッサ（例えば、プロセッサ１５１０）と、プロセッサに、第１のワイヤレスプロトコルを使用して、近隣認識ネットワーク（ＮＡＮ）（例えば、ＮＡＮ１１０）を介して、ＮＡＮの発見情報を示すウェイクアップメッセージの送信を開始させるようにプロセッサによって実行可能である命令（例えば、命令１５６８）を記憶するメモリ（例えば、メモリ１５３２）とを含む。命令はさらに、ウェイクアップメッセージの送信の後で、第２のワイヤレスプロトコルを使用して、ＮＡＮを介して情報（例えば、情報１９０）を通信するようにプロセッサによって実行可能である。
【０１０９】
[00123] 装置はさらに、第１のワイヤレスプロトコルに関連付けられた第１のトランシーバ（例えば、第１のトランシーバ１２２またはトランシーバ１５４７）および第２のワイヤレスプロトコルに関連付けられた第２のトランシーバ（例えば、第２のトランシーバ１２４またはトランシーバ１５４６）を含みうる。第１のトランシーバは、ウェイクアップメッセージを送信するように構成され、第２のトランシーバは、ＮＡＮを介して情報を通信するように構成されうる。
【０１１０】
[00124] 例示的なインプリメンテーションにおいて、第１のトランシーバは、サブ１ＧＨｚの周波数帯域を使用して動作するように構成され、第２のトランシーバは、２．４ＧＨｚの周波数帯域を使用して動作するように構成される。別の例示的なインプリメンテーションにおいて、第１のトランシーバは、サブ１ＧＨｚの周波数帯域を使用して動作するように構成され、第２のトランシーバは、５ＧＨｚの周波数帯域を使用して動作するように構成される。別の例示的なインプリメンテーションにおいて、第１のトランシーバは、２．４ＧＨｚの周波数帯域を使用して動作するように構成され、第２のトランシーバは、５ＧＨｚの周波数帯域を使用して動作するように構成される。
【０１１１】
[00125] 説明された実施形態と併せて、通信のための第１の装置は、第１のワイヤレスプロトコルを介して近隣認識ネットワーク（ＮＡＮ）中の電子デバイスから、第２のワイヤレスプロトコルに関連付けられた発見情報を示すウェイクアップメッセージを送信するための手段を含む。例示的な例として、発見情報は、第２のワイヤレスプロトコルの発見ビーコンの送信時間、第２のワイヤレスプロトコルの発見ウィンドウ、または第２のワイヤレスプロトコルの発見ウィンドウの時間インジケーションを示しうる。例えば、ウェイクアップメッセージを送信するための手段は、ウェイクアップメッセージを送信するために、第１のトランシーバ１２２、図１５のワイヤレスインターフェース１５４１、図１５のトランシーバ１５４７、図１５のアンテナ１５４３、１つまたは複数の他のデバイス、回路、モジュール、または命令を、あるいはそれらの任意の組み合わせを含みうる。
【０１１２】
[00126] 第１の装置はまた、ウェイクアップメッセージの送信の後で、第２のワイヤレスプロトコルを使用して、ＮＡＮを介して情報を通信するための手段を含みうる。例えば、通信するための手段は、図１のＮＡＮ１１０を介して情報を通信しうる。例示するために、通信するための手段は、同期ビーコンを送信するために、第２のトランシーバ１２４、図１５のワイヤレスインターフェース１５４０、図１５のトランシーバ１５４６、図１５のアンテナ１５４２、１つまたは複数の他のデバイス、回路、モジュール、または命令を、あるいはそれらの任意の組み合わせを含みうる。通信するための手段は、発見情報中の第２のワイヤレスプロトコルに関連付けられた発見ビーコンの送信時間を示すように構成されうる。
【０１１３】
[00127] 通信のための第２の装置は、第１のワイヤレスプロトコルを介してモバイルデバイスにおいて、第２のワイヤレスプロトコルにしたがって動作するＮＡＮに関連付けられた発見情報を示すウェイクアップメッセージを受信するための手段を含みうる。発見情報は、第２のワイヤレスプロトコルの発見ビーコンの送信時間、第２のワイヤレスプロトコルの発見ウィンドウ、または第２のワイヤレスプロトコルの発見ウィンドウの時間インジケーションを示しうる。例えば、受信するための手段は、ウェイクアップメッセージを受信するために、第１のトランシーバ１３２、図１５のワイヤレスインターフェース１５４１、図１５のトランシーバ１５４７、図１５のアンテナ１５４３、１つまたは複数の他のデバイス、回路、モジュール、または命令を、あるいはそれらの任意の組み合わせを含みうる。
【０１１４】
[00128] 第２の装置はまた、ウェイクアップメッセージによって示された送信時間に基づいて発見ビーコンを検出するための手段を含みうる。例えば、検出するための手段は、発見ビーコンを検出するために、第２のトランシーバ１３４、図１５のワイヤレスインターフェース１５４０、図１５のトランシーバ１５４６、図１５のアンテナ１５４２、１つまたは複数の他のデバイス、回路、モジュール、または命令を、あるいはそれらの任意の組み合わせを含みうる。
【０１１５】
[00129] 説明された実施形態と併せて、第１の非一時的プロセッサ可読媒体は、プロセッサによって実行されたとき、プロセッサに、第１のワイヤレスプロトコルを介して近隣認識ネットワーク（ＮＡＮ）中の電子デバイスから、ＮＡＮの発見情報を示すウェイクアップメッセージの送信を開始させる命令を備える。ＮＡＮは、第２のワイヤレスプロトコルにしたがって動作する。命令はさらに、発見情報中の、第２のワイヤレスプロトコルの発見ビーコンの送信時間、第２のワイヤレスプロトコルの発見ウィンドウ、または第２のワイヤレスプロトコルの発見ウィンドウの時間インジケーションを示すようにプロセッサによって実行可能でありうる。例えば、図１５のプロセッサ１５１０は、図１５のメモリ１５３２において記憶された図１５の命令１５６８にアクセスし、プロセッサ１５１０に、ウェイクアップメッセージを送信するために第１のトランシーバ１２２を利用させるよう命令１５６８を実行しうる。別の例として、プロセッサ１５１０は、ウェイクアップメッセージを送信するために、図１５のワイヤレスインターフェース１５４１、図１５のトランシーバ１５４７、および図１５のアンテナ１５４３を利用するよう命令１５６８を実行しうる。
【０１１６】
[00130] 第１の非一時的プロセッサ可読媒体はさらに、プロセッサによって実行されたとき、プロセッサに、ウェイクアップメッセージの送信の後で、第２のワイヤレスプロトコルを使用して、ＮＡＮを介して情報を通信させる命令を備えうる。例えば、プロセッサは、図１のＮＡＮ１１０を介して情報を通信しうる。例示するために、図１５のプロセッサ１５１０は、図１５のメモリ１５３２において記憶された図１５の命令１５６８にアクセスし、プロセッサ１５１０に、ＮＡＮを介して情報を通信するために第２のトランシーバ１２４を利用させるよう命令１５６８を実行しうる。別の例示として、プロセッサ１５１０は、ＮＡＮを介して情報を通信するために、図１５のワイヤレスインターフェース１５４０、図１５のトランシーバ１５４６、および図１５のアンテナ１５４２を利用するよう命令１５６８を実行しうる。
【０１１７】
[00131] 第２の非一時的プロセッサ可読媒体は、プロセッサによって実行されたとき、プロセッサに、第１のワイヤレスプロトコルを介してモバイルデバイスにおいて、第２のワイヤレスプロトコルにしたがって動作する近隣認識ネットワーク（ＮＡＮ）に関連付けられた発見情報を示すウェイクアップメッセージを受信させる命令を備える。命令はさらに、プロセッサに、発見情報中の、第２のワイヤレスプロトコルの発見ビーコンの送信時間、第２のワイヤレスプロトコルの発見ウィンドウ、または第２のワイヤレスプロトコルの発見ウィンドウの時間インジケーションを示させるようにプロセッサによって実行可能でありうる。例えば、図１５のプロセッサ１５１０は、図１５のメモリ１５３２において記憶された図１５の命令１５６８にアクセスし、プロセッサ１５１０に、ウェイクアップメッセージを受信するために第１のトランシーバ１３２を利用させるよう命令１５６８を実行しうる。別の例として、プロセッサ１５１０は、ウェイクアップメッセージを受信するために、図１５のワイヤレスインターフェース１５４１、図１５のトランシーバ１５４７、および図１５のアンテナ１５４３を利用するよう命令１５６８を実行しうる。
【０１１８】
[00132] 図１−１５のうちの１つまたは複数は、本開示の教示にしたがって、システム、装置、または方法を例示しうるが、本開示は、これらの例示されたシステム、装置、または方法に限定されない。本明細書で例示されたまたは説明された図１−１５のうちのいずれかの１つまたは複数の機能またはコンポーネントは、図１−１５のうちの別のものの１つまたは複数の他の部分と組み合されうる。さらに、図１−１５のいずれかに関連して説明された１つまたは複数の方法のステップは、少なくとも部分的に同時に遂行、再順序付け、または削除されうる。それ故に、本明細書で説明された実施形態のどれ１つとして、限定するものとして解釈されるべきではなく、本開示の実施形態は、本開示の教示から逸脱することなしに適切に組み合されうる。
【０１１９】
[00133] 当業者はさらに、本明細書で開示された実施形態に関連して説明された様々な例示的な論理ブロック、構成、モジュール、回路、およびアルゴリズムステップが、電子ハードウェア、プロセッサによって実行されるコンピュータソフトウェア、または両方の組み合わせとしてインプリメントされうることを認識するであろう。様々な例示的なコンポーネント、ブロック、構成、モジュール、回路、およびステップが、概してそれらの機能性の観点から上記において説明された。そのような機能性がハードウェアまたはプロセッサ実行可能命令としてインプリメントされるかどうかは、特定のアプリケーションおよびシステム全体に課せられる設計の制約に依存する。当業者は、説明された機能性を特定のアプリケーションごとに様々な方法でインプリメントしうるが、そのようなインプリメンテーションの決定は、本開示の範囲からの逸脱を引き起こしていると解釈されるべきではない。
【０１２０】
[00134] 本明細書で開示された実施形態に関連して説明された方法またはアルゴリズムのステップは、直接ハードウェア中で、プロセッサによって実行されるソフトウェアモジュール中で、またはこれら２つの組み合わせで、具現化されうる。ソフトウェアモジュールは、ランダムアクセスメモリ（ＲＡＭ）、フラッシュメモリ、読み出し専用メモリ（ＲＯＭ）、プログラマブル読み出し専用メモリ（ＰＲＯＭ）、消去可能プログラマブル読み取り専用メモリ（ＥＰＲＯＭ）、電気的消去可能プログラマブル読み取り専用メモリ（ＥＥＰＲＯＭ（登録商標））、レジスタ、ハードディスク、リムーバブルディスク、コンパクトディスク読み出し専用メモリ（ＣＤ−ＲＯＭ）、または当該技術において知られる任意の他の形式の非一過性（non-transient）（例えば、非一時的（non-transitory））記憶媒体中に存在しうる。例証的な記憶媒体は、プロセッサが記憶媒体から情報を読み取り、記憶媒体に情報を書き込むことができるように、プロセッサに結合される。代替において、記憶媒体は、プロセッサと一体化されうる。プロセッサおよび記憶媒体は、特定用途向け集積回路（ＡＳＩＣ）中に存在しうる。ＡＳＩＣは、計算デバイスまたはユーザ端末中に存在しうる。代替において、プロセッサおよび記憶媒体は、計算デバイスまたはユーザ端末中にディスクリートコンポーネントとして存在しうる。
【０１２１】
[00135] 開示された実施形態の先の説明は、当業者が、開示された実施形態を製造または使用することを可能にするために提供される。これらの実施形態への様々な修正は、当業者に容易に明らかとなるもので、本明細書で定義された原理は、本開示の範囲から逸脱することなしに他の実施形態に適用されうる。したがって、本開示は、本明細書で示された実施形態に限定されるように意図されるものではなく、次の特許請求の範囲によって定義されるような原理および新規な特徴と一致する可能な限り最も広い範囲が付与されることとなる。
以下に、本願の出願当初の特許請求の範囲に記載された発明を付記する。
［Ｃ１］
通信の方法であって、
第１のワイヤレスプロトコルを介して近隣認識ネットワーク（ＮＡＮ）中の電子デバイスから、第２のワイヤレスプロトコルに関連付けられた発見情報を示すウェイクアップメッセージを送信することと、
前記ウェイクアップメッセージを送信した後で、前記第２のワイヤレスプロトコルを使用して、前記ＮＡＮを介して情報を通信することと
を備える、方法。
［Ｃ２］
前記発見情報中の前記第２のワイヤレスプロトコルに関連付けられた発見ビーコンの送信時間を示すことをさらに備える、Ｃ１に記載の方法。
［Ｃ３］
前記ＮＡＮを介して情報を前記通信することにおいて前記発見ビーコンを送信することをさらに備える、Ｃ２に記載の方法。
［Ｃ４］
前記ウェイクアップメッセージを前記送信することは、前記発見ビーコンの送信より前の特定の時間オフセットで生じる、Ｃ２に記載の方法。
［Ｃ５］
前記発見情報は、前記第２のワイヤレスプロトコルに関連付けられた発見ウィンドウを示す、Ｃ１に記載の方法。
［Ｃ６］
前記発見ウィンドウは、およそ１６ミリ秒（ｍｓ）の持続時間を有する、Ｃ５に記載の方法。
［Ｃ７］
前記ウェイクアップメッセージを前記送信することは、前記発見ウィンドウの開始より前の特定の時間オフセットで生じる、Ｃ５に記載の方法。
［Ｃ８］
前記ＮＡＮを介して情報を前記通信することは、前記発見ウィンドウ中の通信を含む、Ｃ５に記載の方法。
［Ｃ９］
前記ＮＡＮを介して情報を前記通信することは、同期ビーコンを送信することを含む、Ｃ１に記載の方法。
［Ｃ１０］
前記第１のワイヤレスプロトコルは、米国電気電子学会（ＩＥＥＥ）８０２．１１ａｈワイヤレスプロトコルを備える、Ｃ１に記載の方法。
［Ｃ１１］
前記第１のワイヤレスプロトコルを介して前記電子デバイスで、別の電子デバイスからのメッセージを受信することをさらに備える、Ｃ１に記載の方法。
［Ｃ１２］
前記メッセージは、前記第２のワイヤレスプロトコルにしたがって動作する別のＮＡＮに関連付けられた発見情報を示す、Ｃ１１に記載の方法。
［Ｃ１３］
前記メッセージは、前記別のＮＡＮの発見ウィンドウの時間インジケーションを含む、Ｃ１２に記載の方法。
［Ｃ１４］
前記第１のワイヤレスプロトコルは、サブ１ギガヘルツ（ＧＨｚ）の周波数帯域に関連付けられ、前記第２のワイヤレスプロトコルは、２．４ＧＨｚの周波数帯域に関連付けられる、Ｃ１に記載の方法。
［Ｃ１５］
前記第１のワイヤレスプロトコルは、サブ１ギガヘルツ（ＧＨｚ）の周波数帯域に関連付けられ、前記第２のワイヤレスプロトコルは、５ＧＨｚの周波数帯域に関連付けられる、Ｃ１に記載の方法。
［Ｃ１６］
前記第１のワイヤレスプロトコルは、２．４ギガヘルツ（ＧＨｚ）の周波数帯域に関連付けられ、前記第２のワイヤレスプロトコルは、５ＧＨｚの周波数帯域に関連付けられる、Ｃ１に記載の方法。
［Ｃ１７］
通信のための装置であって、
プロセッサと、
前記プロセッサに、
近隣認識ネットワーク（ＮＡＮ）を介しておよび第１のワイヤレスプロトコルを使用して、前記ＮＡＮの発見情報を示すウェイクアップメッセージの送信を開始することと、前記ＮＡＮは、第２のワイヤレスプロトコルにしたがって動作する、
前記ウェイクアップメッセージの送信の後で、前記第２のワイヤレスプロトコルを使用して、前記ＮＡＮを介して情報を通信することと
を行わせるように前記プロセッサによって実行可能である命令を記憶するメモリと
を備える、装置。
［Ｃ１８］
前記第１のワイヤレスプロトコルに関連付けられた第１のトランシーバをさらに備える、Ｃ１７に記載の装置。
［Ｃ１９］
前記第１のトランシーバは、前記ウェイクアップメッセージを送信するように構成される、Ｃ１８に記載の装置。
［Ｃ２０］
前記第２のワイヤレスプロトコルに関連付けられた第２のトランシーバをさらに備える、Ｃ１８に記載の装置。
［Ｃ２１］
前記第２のトランシーバは、前記ＮＡＮを介して前記情報を通信するように構成される、Ｃ２０に記載の装置。
［Ｃ２２］
前記第１のトランシーバは、サブ１ギガヘルツ（ＧＨｚ）の周波数帯域を使用して動作するように構成され、前記第２のトランシーバは、２．４ＧＨｚの周波数帯域を使用して動作するように構成される、Ｃ２０に記載の装置。
［Ｃ２３］
前記第１のトランシーバは、サブ１ギガヘルツ（ＧＨｚ）の周波数帯域を使用して動作するように構成され、前記第２のトランシーバは、５ＧＨｚの周波数帯域を使用して動作するように構成される、Ｃ２０に記載の装置。
［Ｃ２４］
前記第１のトランシーバは、２．４ギガヘルツ（ＧＨｚ）の周波数帯域を使用して動作するように構成され、前記第２のトランシーバは、５ＧＨｚの周波数帯域を使用して動作するように構成される、Ｃ２０に記載の装置。
［Ｃ２５］
通信のための装置であって、
第１のワイヤレスプロトコルを介して近隣認識ネットワーク（ＮＡＮ）中の電子デバイスから、第２のワイヤレスプロトコルに関連付けられた発見情報を示すウェイクアップメッセージを送信するための手段と、
前記ウェイクアップメッセージの送信の後で、前記第２のワイヤレスプロトコルを使用して、前記ＮＡＮを介して情報を通信するための手段と
を備える、装置。
［Ｃ２６］
前記送信するための手段は、前記第１のワイヤレスプロトコルに関連付けられた第１のトランシーバを含み、前記通信するための手段は、前記第２のワイヤレスプロトコルに関連付けられた第２のトランシーバを含む、Ｃ２５に記載の装置。
［Ｃ２７］
前記通信するための手段は、前記発見情報中の前記第２のワイヤレスプロトコルに関連付けられた発見ビーコンの送信時間を示すように構成される、Ｃ２５に記載の装置。
［Ｃ２８］
プロセッサによって実行されたとき、前記プロセッサに、
第１のワイヤレスプロトコルを介して近隣認識ネットワーク（ＮＡＮ）中の電子デバイスから、前記ＮＡＮの発見情報を示すウェイクアップメッセージの送信を開始することと、前記ＮＡＮは、第２のワイヤレスプロトコルにしたがって動作する、
前記ウェイクアップメッセージの送信の後で、前記第２のワイヤレスプロトコルを使用して、前記ＮＡＮを介して情報を通信することと
を行わせる命令を備える非一時的プロセッサ可読媒体。
［Ｃ２９］
前記命令は、前記プロセッサに、前記発見情報中の前記第２のワイヤレスプロトコルに関連付けられた発見ビーコンの送信時間を示させるように前記プロセッサによってさらに実行可能である、Ｃ２８に記載の非一時的プロセッサ可読媒体。
［Ｃ３０］
前記命令は、前記プロセッサに、前記発見情報中の前記第２のワイヤレスプロトコルに関連付けられた発見ウィンドウを示させるように前記プロセッサによってさらに実行可能である、Ｃ２８に記載の非一時的プロセッサ可読媒体。
【図１】
0006306199.tif 000002
【図２】
0006306199.tif 000003
【図３】
0006306199.tif 000004
【図４】
0006306199.tif 000005
【図５】
0006306199.tif 000006
【図６】
0006306199.tif 000007
【図７】
0006306199.tif 000008
【図８】
0006306199.tif 000009
【図９】
0006306199.tif 000010
【図１０】
0006306199.tif 000011
【図１１】
0006306199.tif 000012
【図１２】
0006306199.tif 000013
【図１３】
0006306199.tif 000014
【図１４】
0006306199.tif 000015
【図１５】
0006306199.tif 000016